(57)【要約】  本発明の中央処理装置および該方法は、被監視者に対応して設けられたセンサ装置から受信したイベントを、前記被監視者に対応付けて監視情報として記憶し、前記監視情報は、イベントの検知時刻または受信時刻、および、イベントの種類を含み、前記中央処理装置および該方法は、その記憶された監視情報から、所定の期間内における、所定の被監視者に対応するイベントの種類を抽出し、その抽出結果に基づいて、所定の期間内におけるイベントを、被監視者に対応付けて種類別に、所定の表示装置に表示させる。そして、本発明の被監視者監視システムは、この中央処理装置を含む。
2017221752.tif 000002
【特許請求の範囲】
【請求項１】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの前記中央処理装置であって、
記憶部と、
履歴情報抽出処理部と、
監視処理部とを備え、
前記記憶部は、前記センサ装置で検知されて前記センサ装置から受信したイベントを、前記センサ装置に対応する前記被監視者に対応付けて監視情報として記憶し、
前記監視情報は、前記イベントの検知時刻または受信時刻、および、前記イベントの種類を含み、
前記履歴情報抽出処理部は、前記記憶部に記憶された監視情報から、所定の期間内における、所定の被監視者に対応するイベントの種類を抽出し、
前記監視処理部は、前記履歴情報抽出処理部の抽出結果に基づいて、前記所定の期間内におけるイベントを、前記被監視者に対応付けて種類別に、所定の表示装置に表示させる、
中央処理装置。
【請求項２】
前記監視処理部は、前記被監視者に対応して設けられ前記所定の期間に応じた時間軸上に、前記イベントの種類を表した所定のマークを、前記イベントの検知時刻または受信時刻で、表示することで、前記履歴情報抽出処理部の抽出結果に基づいて、前記所定の期間内におけるイベントを、前記被監視者に対応付けて種類別に、前記所定の表示装置に表示させる、
請求項１に記載の中央処理装置。
【請求項３】
前記記憶部は、前記センサ装置で検知されて前記センサ装置から受信したイベントを所定の端末装置へ通知するか否かを前記イベントの種類ごとに表す返信許否情報を、前記センサ装置に対応する前記被監視者に対応付けて通知許否情報としてさらに記憶し、
前記監視処理部は、前記センサ装置で検知されて前記センサ装置から受信したイベントを前記所定の端末装置へ通知する通知処理を前記記憶部に記憶された通知許否情報に基づいて実行し、前記通知処理による通知の有無を前記センサ装置で検知されて前記センサ装置から受信した前記イベントに対応付けて前記監視情報の一つとして前記記憶部にさらに記憶し、
前記監視処理部は、前記履歴情報抽出処理部の抽出結果に基づいて、前記所定の期間内におけるイベントを、前記被監視者に対応付けて種類別に、所定の表示装置に表示させる際に、さらに、前記通知の有無を前記所定の表示装置に表示させる、
請求項２に記載の中央処理装置。
【請求項４】
分析処理部をさらに備え、
前記分析処理部は、前記履歴情報抽出処理部の抽出結果に基づいて、入床から離床までの時間を臥床時間として求め、前記求めた臥床時間の中から、所定の第１時刻以降の最初の入床から翌日の所定の第２時刻以降の最初の離床までの時間を睡眠時間とする分析処理を実行し、
前記監視処理部は、前記履歴情報抽出処理部の抽出結果に基づいて、前記所定の期間内におけるイベントを、前記被監視者に対応付けて種類別に、所定の表示装置に表示させる際に、さらに、前記分析処理の実行で求められた睡眠時間と前記睡眠時間を除いた残余の臥床時間とを互いに異なる表示態様で前記所定の表示装置に表示させる、
請求項１ないし請求項３のいずれか１項に記載の中央処理装置。
【請求項５】
前記分析処理部は、さらに、前記記憶部に記憶された監視情報から、分析対象である所定の第２期間内における、所定の被監視者に対応するイベントを種類別に計数することで第１計数結果を求め、前記第２期間よりも以前の所定の第３期間内における、前記所定の被監視者に対応するイベントを種類別に計数して前記第２期間長に応じた平均値で第２計数結果を求め、前記第１計数結果と前記第２計数結果とを種類別に比較し、所定の閾値以上変化している種類別の比較結果を求める第２分析処理を実行し、
前記監視処理部は、前記第２分析処理の実行で求めた所定の閾値以上変化している種類別の比較結果を前記所定の表示装置に表示させる、
請求項１ないし請求項４のいずれか１項に記載の中央処理装置。
【請求項６】
前記第２期間は、複数のサブ期間を備え、
前記分析処理部は、１人の被監視者に対して複数のサブ期間それぞれについて、当該サブ期間を前記第２期間とする前記第２分析処理を実行する、
請求項５に記載の中央処理装置。
【請求項７】
前記分析処理部は、複数の被監視者それぞれについて、前記第２分析処理を実行する、
請求項５に記載の中央処理装置。
【請求項８】
監視対象である被監視者に対応して設けられ、前記被監視者に関わる所定のイベントを検知するセンサ装置、前記センサ装置と通信可能に接続され前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの中央処理方法であって、
記憶工程と、
履歴情報抽出工程と、
監視処理工程とを備え、
前記記憶工程は、前記センサ装置で検知され前記センサ装置から受信したイベントを、前記センサ装置に対応する前記被監視者に対応付けて監視情報として記憶部に記憶し、
前記監視情報は、前記イベントの検知時刻または受信時刻、および、前記イベントの種類を含み、
前記履歴情報抽出工程は、前記記憶部に記憶された監視情報から、所定の期間内における、所定の被監視者に対応する検知結果の種類を抽出し、
前記監視処理工程は、前記履歴情報抽出工程の抽出結果に基づいて、前記所定の期間内におけるイベントを、前記被監視者に対応付けて種類別に、所定の表示装置に表示させる、
中央処理方法。
【請求項９】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムであって、
前記中央処理装置は、請求項１ないし請求項７のいずれか１項に記載の中央処理装置である、
被監視者監視システム。
【発明の詳細な説明】
【技術分野】
【０００１】
本発明は、監視すべき監視対象である被監視者を複数の機器を用いて監視する被監視者監視システムの中央処理装置および中央処理方法、ならびに、前記被監視者監視システムに関する。
【背景技術】
【０００２】
我が国（日本）は、戦後の高度経済成長に伴う生活水準の向上、衛生環境の改善および医療水準の向上等によって、高齢化社会、より詳しくは、総人口に対する６５歳以上の人口の割合である高齢化率が２１％を超える超高齢化社会になっている。２０１３年９月の統計では、高齢者人口は、約３１８６万人であり、その高齢化率は、２５．０％であり、４人に１人が高齢者になっている。２０３５年には、高齢者人口が約３７４１万人となり、３人に１人が高齢者になるという予測もある（日本国総務省統計局）。このような高齢化社会では、病気や怪我や高齢等による看護や介護を必要とする要看護者や要介護者（要看介護者）は、高齢化社会ではない通常の社会で生じる要看介護者よりもその増加が見込まれる。そして、我が国は、例えば２０１３年の合計特殊出生率が１．４３という少子化社会でもある。そのため、高齢な要看介護者を高齢の家族（配偶者、子、兄弟）が介護する老老介護も起きて来ている。【０００３】
要看介護者は、病院や、老人福祉施設（日本の法令では老人短期入所施設、養護老人ホームおよび特別養護老人ホーム等）等の施設に入所し、その看護や介護を受ける。このような施設では、要看介護者が、例えばベッドからの転落や歩行中の転倒等によって怪我を負ったり、ベッドから抜け出して徘徊したりするなどの事態が生じ得る。このような事態に対し、可及的速やかに対応する必要がある。また、このような事態を放置しておくとさらに重大な事態に発展してしまう可能性もある。このため、前記施設では、看護師や介護士（看介護者）は、定期的に巡視することによってその安否や様子を確認している。【０００４】
しかしながら、要看介護者の増加数に対し看介護者の増加数が追い付かずに、看護業界や介護業界では、慢性的に人手不足になっている。さらに、日勤の時間帯に較べ、準夜勤や夜勤の時間帯では、看介護者の人数が減るため、一人当たりの業務負荷が増大するので、前記業務負荷の軽減が要請される。また、前記老老介護の事態は、前記施設でも例外ではなく、高齢の要看介護者を高齢の看介護者がケアすることもしばしば見られる。一般に高齢になると体力が衰えるため、健康であっても若いケア者に比しケアの負担が重くなり、また、その動きや判断も遅くなる。【０００５】
このような人手不足や看介護者の負担を軽減するため、看護業務や介護業務を補完する技術が求められている。このため、近年では、要看介護者の、監視すべき監視対象である被監視者を監視（モニタ）する被監視者監視技術が研究、開発されている。【０００６】
このような技術の一つとして、例えば特許文献１に開示されたナースコールシステムがある。この特許文献１に開示されたナースコールシステムは、ベッドに設置されて患者が看護師を呼び出すためのナースコール子機と、ナースステーションに設置されて前記ナースコール子機による呼び出しに応答するためのナースコール親機とを有するナースコールシステムであって、ベッド上の患者をベッド上方から撮像するカメラと、前記カメラの撮像映像から、患者が上半身を起こした状態及び患者がベッド上から離れた状態のうち少なくとも一方の発生を判断して注意状態発生信号を出力する状態判断手段とを有し、前記ナースコール親機は、前記注意状態発生信号を受けて通知動作する通知手段を有する。そして、このナースコールシステムは、前記ナースコール子機からの呼び出しに応答するために看護師が携行する携帯端末と、前記注意状態発生信号を受けて、前記カメラの撮像映像を前記携帯端末に送信する通信制御手段とを有する。【０００７】
一方、安否確認の点では、一人暮らしの独居者も前記要看護者等と同様であり、被監視対象者となる。【０００８】
ところで、身体能力の衰え具合、怪我の程度や箇所、マヒの程度や箇所、これまでの生活リズム（生活習慣）、および、ナースコールの使い方等は、要看介護者の被監視者個々人によって様々である。このため、例えば前記注意状態発生信号の通知のされ方やナースコールの通知のされ方も、被監視者個々人によって様々である。このような通知（通知）のされ方に被監視者個々人ごとに所定の傾向が見られれば、前記所定の傾向に応じた、より適切な看護や介護が可能となる。【０００９】
前記特許文献１に開示されたナースコールシステムは、前記注意状態発生信号の通知やナースコールの通知を実行できるが、前記通知を実行するだけであり、前記特許文献１には、その通知のされ方の傾向に関する記載は、開示も示唆もない。
【先行技術文献】
【特許文献】
【００１０】
【特許文献１】特開２０１４−９０９１３号公報
【発明の概要】
【００１１】
本発明は、上述の事情に鑑みて為された発明であり、その目的は、被監視者の、通知（報知）のされ方に関し、その傾向の発見を支援できる被監視者監視システムの中央処理装置および中央処理方法ならびに前記被監視者監視システムを提供することである。
【００１２】
本発明にかかる中央処理装置および中央処理方法は、被監視者に対応して設けられたセンサ装置で検知されたイベントを管理し、イベントを所定の端末装置へ通知するものである。前記中央処理装置および中央処理方法は、センサ装置から受信したイベントを、センサ装置に対応する被監視者に対応付けて監視情報として記憶する。前記監視情報は、イベントの検知時刻または受信時刻、および、イベントの種類を含む。前記中央処理装置および中央処理方法は、その記憶された監視情報から、所定の期間内における、所定の被監視者に対応するイベントの種類を抽出し、その抽出結果に基づいて、所定の期間内におけるイベントを、被監視者に対応付けて種類別に、所定の表示装置に表示させる。そして、本発明の被監視者監視システムは、この中央処理装置を含む。
【００１３】
上記並びにその他の本発明の目的、特徴及び利点は、以下の詳細な記載と添付図面から明らかになるであろう。
【図面の簡単な説明】
【００１４】
【図１】実施形態における被監視者監視システムの構成を示す図である。
【図２】前記被監視者監視システムにおけるセンサ装置の構成を示す図である。
【図３】正常呼吸および異常呼吸それぞれにおける代表的な各波形パターンを示す図である。
【図４】前記被監視者監視システムにおける管理サーバ装置の構成を示す図である。
【図５】前記管理サーバ装置に記憶される監視情報テーブルの構成を示す図である。
【図６】前記管理サーバ装置に記憶される装置間情報テーブルの構成を示す図である。
【図７】前記管理サーバ装置に記憶されるセンサ情報テーブルの構成を示す図である。
【図８】前記被監視者監視システムにおける前記センサ装置の動作を示すフローチャートである。
【図９】前記被監視者監視システムにおける前記管理サーバ装置の動作を示すフローチャートである。
【図１０】図９に示すフローチャートにおける監視情報の処理を示すフローチャートである。
【図１１】前記被監視者監視システムにおける携帯端末装置に表示される監視情報画面の一例を示す図である。
【図１２】図９に示すフローチャートにおける個人履歴表示の処理を示すフローチャートである。
【図１３】前記被監視者監視システムにおける固定端末装置に表示されるタイムチャートでの個人履歴表示画面の一例を示す図である。
【図１４】前記被監視者監視システムにおける固定端末装置に表示されるグラフでの個人履歴表示画面の一例を示す図である。
【図１５】図９に示すフローチャートにおける個人分析表示の処理を示すフローチャートである。
【図１６】前記被監視者監視システムにおける固定端末装置に表示される個人分析表示画面の一例を示す図である。
【発明を実施するための形態】
【００１５】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１６】
実施形態における被監視者監視システムは、監視すべき（見守るべき）監視対象（見守り対象）である被監視者（見守り対象者）Ｏｂを監視するものであり、被監視者Ｏｂに対応して設けられ、被監視者に関わる、予め設定された所定のイベントを検知するセンサ装置と、前記センサ装置と通信可能に接続され、前記センサ装置で検知されて前記センサ装置から受信したイベントを管理する中央処理装置と、前記中央処理装置と通信可能に接続され前記中央処理装置を介して前記センサ装置で検知されたイベントの通知を受ける端末装置とを備える。前記中央処理装置は、記憶部と、履歴情報抽出処理部と、監視処理部とを備える。前記記憶部は、前記センサ装置で検知されて前記センサ装置から受信したイベントを、前記センサ装置に対応する前記被監視者に対応付けて監視情報として記憶する。前記監視情報は、前記イベントの検知時刻または受信時刻、および、前記イベントの種類を含む。前記履歴情報抽出処理部は、前記記憶部に記憶された監視情報から、所定の期間内における、所定の被監視者に対応するイベントの種類を抽出する。前記監視処理部は、前記履歴情報抽出処理部の抽出結果に基づいて、前記所定の期間内におけるイベントを、前記被監視者に対応付けて種類別に、所定の表示装置に表示させる。前記端末装置は、１種類の装置であって良いが、本実施形態態では、前記端末装置は、固定端末装置と携帯端末装置との２種類の装置である。これら固定端末装置と携帯端末装置との主な相違は、固定端末装置が固定的に運用される一方、携帯端末装置が例えば看護師や介護士等の監視者（ユーザ）に携行されて運用される点であり、これら固定端末装置と携帯端末装置とは、略同様である。
【００１７】
図１は、実施形態における被監視者監視システムの構成を示す図である。図２は、実施形態の被監視者監視システムにおけるセンサ装置の構成を示す図である。図３は、正常呼吸および異常呼吸それぞれにおける代表的な各波形パターンを示す図である。図３Ａは、正常呼吸における代表的な波形パターンを示し、図３Ｂは、呼吸停止における代表的な波形パターンを示し、図３Ｃは、睡眠時無呼吸における代表的な波形パターンを示し、図３Ｄは、除呼吸における代表的な波形パターンを示し、図３Ｅは、頻呼吸における代表的な波形パターンを示し、図３Ｆは、低呼吸における代表的な波形パターンを示し、図３Ｇは、過呼吸における代表的な波形パターンを示し、図３Ｈは、Ｋｕｓｓｍａｕｌの大呼吸における代表的な波形パターンを示し、そして、図３Ｉは、Ｃｈｅｙｎｅ−Ｓｔｏｋｅｓ呼吸における代表的な波形パターンを示す。図４は、実施形態の被監視者監視システムにおける管理サーバ装置の構成を示す図である。図５は、図４に示す前記管理サーバ装置に記憶される監視情報テーブルの構成を示す図である。図６は、図４に示す前記管理サーバ装置に記憶される装置間情報テーブルの構成を示す図である。図６Ａは、装置間情報テーブルのうちの通知先対応関係情報テーブルの構成を示し、図６Ｂは、装置間情報テーブルのうちの通信アドレス対応関係情報テーブルの構成を示す。図７は、図４に示す前記管理サーバ装置に記憶されるセンサ情報テーブルの構成を示す図である。
【００１８】
より具体的には、被監視者監視システムＭＳは、例えば、図１に示すように、１または複数のセンサ装置ＳＵ（ＳＵ−１〜ＳＵ−４）と、管理サーバ装置ＳＶと、固定端末装置ＳＰと、１または複数の携帯端末装置ＴＡ（ＴＡ−１、ＴＡ−２）と、構内交換機（ＰＢＸ、Ｐｒｉｖａｔｅ  ｂｒａｎｃｈ  ｅｘｃｈａｎｇｅ）ＣＸとを備え、これらは、有線や無線で、ＬＡＮ（Ｌｏｃａｌ  Ａｒｅａ  Ｎｅｔｗｏｒｋ）等の網（ネットワーク、通信回線）ＮＷを介して通信可能に接続される。ネットワークＮＷは、通信信号を中継する例えばリピーター、ブリッジおよびルーター等の中継機が備えられても良い。図１に示す例では、これら複数のセンサ装置ＳＵ−１〜ＳＵ−４、管理サーバ装置ＳＶ、固定端末装置ＳＰ、複数の携帯端末装置ＴＡ−１、ＴＡ−２および構内交換機ＣＸは、Ｌ２スイッチの集線装置（ハブ、ＨＵＢ）ＬＳおよびアクセスポイントＡＰを含む有線および無線の混在したＬＡＮ（例えばＩＥＥＥ８０２．１１規格に従ったＬＡＮ等）ＮＷによって互いに通信可能に接続されている。より詳しくは、複数のセンサ装置ＳＵ−１〜ＳＵ−４、管理サーバ装置ＳＶ、固定端末装置ＳＰおよび構内交換機ＣＸは、集線装置ＬＳに接続され、複数の携帯端末装置ＴＡ−１、ＴＡ−２は、アクセスポイントＡＰを介して集線装置ＬＳに接続されている。そして、ネットワークＮＷは、ＴＣＰ（Ｔｒａｎｓｍｉｓｓｉｏｎ  ｃｏｎｔｒｏｌ  ｐｒｏｔｏｃｏｌ）およびＩＰ（Ｉｎｔｅｒｎｅｔ  ｐｒｏｔｏｃｏｌ）等のインターネットプロトコル群が用いられることによっていわゆるイントラネットを構成する。
【００１９】
構内交換機（回線切換機）ＣＸは、ネットワークＮＷに接続され、携帯端末装置ＴＡ同士における発信、着信および通話等の内線電話の制御を行って前記携帯端末装置ＴＡ同士の内線電話を実施し、そして、例えば固定電話網や携帯電話網等の公衆電話網ＰＮを介して例えば固定電話機や携帯電話機等の外線電話機ＴＬに接続され、外線電話機ＴＬと携帯端末装置ＴＡとの間における発信、着信および通話等の外線電話の制御を行って外線電話機ＴＬと携帯端末装置ＴＡとの間における外線電話を実施するものである。構内交換機ＣＸは、例えば、デジタル交換機や、ＩＰ−ＰＢＸ（Ｉｎｔｅｒｎｅｔ  Ｐｒｏｔｏｃｏｌ  Ｐｒｉｖａｔｅ  Ｂｒａｎｃｈ  ｅＸｃｈａｎｇｅ）等である。
【００２０】
被監視者監視システムＭＳは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視システムＭＳは、被監視者Ｏｂの種類に応じて、病院、老人福祉施設および住戸等の建物に好適に配設される。図１に示す例では、被監視者監視システムＭＳは、複数の被監視者Ｏｂが入居する複数の居室ＲＭや、ナースステーション等の複数の部屋を備える介護施設の建物に配設されている。
【００２１】
センサ装置ＳＵは、ネットワークＮＷを介して他の装置ＳＶ、ＳＰ、ＴＡと通信する通信機能等を備え、被監視者Ｏｂに関わる所定のイベントを検知してこの検知した前記イベントを管理サーバ装置ＳＶへ通知し、端末装置ＳＰ、ＴＡとの間で音声通話を行い、そして、動画を含む画像を生成して端末装置ＳＰ、ＴＡへ動画を配信する装置である。センサ装置ＳＵは、各被監視者Ｏｂそれぞれに対応付けて配設されている。前記所定のイベント（事象）は、好ましくは、対処（対応）が必要なイベントを含む。本実施形態では、前記所定のイベントは、被監視者Ｏｂにおける、予め設定された所定の行動を含み、呼吸異常を含み、そして、ナースコールを含む。このようなセンサ装置ＳＵは、例えば、図２に示すように、センサ部１１と、音入出力部１２と、ナースコール受付操作部１３と、センサ側制御処理部（ＳＵ制御処理部）１４と、センサ側通信インターフェース部（ＳＵ通信ＩＦ部）１５と、センサ側記憶部（ＳＵ記憶部）１６とを備える。
【００２２】
センサ部１１は、ＳＵ制御処理部１４に接続され、ＳＵ制御処理部１４の制御に従って、被監視者Ｏｂにおける予め設定された所定の諸量を検出する装置である。前記所定の諸量は、被監視者Ｏｂに対する監視項目に応じて適宜に決定される。本実施形態では、前記監視項目は、予め設定された前記所定の行動および呼吸異常であり、前記所定の行動は、例えば、被監視者Ｏｂが寝具に入った入床、被監視者Ｏｂが起きた起床、被監視者Ｏｂが寝具から離れた離床、および、被監視者Ｏｂが倒れた転倒の４つの行動である。なお、前記転倒には、被監視者Ｏｂが寝具から落ちた転落が含まれて良く、あるいは、前記転倒とは別途に、前記所定の行動には、被監視者Ｏｂが寝具から落ちた転落が含まれて良い。前記所定の行動を検知するために、センサ部１１は、例えば、撮像部１１１を備え、そして、前記呼吸異常を検知するために、呼吸測定部１１２を備える。
【００２３】
撮像部１１１は、ＳＵ制御処理部１４に接続され、ＳＵ制御処理部１４の制御に従って、画像（画像データ）を生成する装置である。前記画像には、静止画（静止画データ）および動画（動画データ）が含まれる。撮像部１１１は、被監視者Ｏｂが所在を予定している空間（所在空間、図１に示す例では配設場所の居室ＲＭ）を監視可能に配置され、前記所在空間を撮像対象としてその上方から撮像し、前記撮像対象を俯瞰した画像（画像データ）を生成し、前記撮像対象の画像（対象画像）をＳＵ制御処理部１４へ出力する。好ましくは、被監視者Ｏｂ全体を撮像できる蓋然性が高いことから、撮像部１１１は、被監視者Ｏｂが横臥する寝具（例えばベッド等）における、被監視者Ｏｂの頭部が位置すると予定されている予め設定された頭部予定位置（通常、枕の配設位置）の直上から撮像対象を撮像できるように配設される。センサ装置ＳＵは、この撮像部１１１によって、被監視者Ｏｂを、被監視者Ｏｂの上方から撮像した画像、好ましくは前記頭部予定位置の直上から撮像した画像を取得する。センサ装置ＳＵは、前記生成した被監視者Ｏｂの画像（対象画像）をＳＵ制御処理部１４へ出力する。
【００２４】
このような撮像部１１１は、可視光の画像を生成する装置であって良いが、比較的暗がりでも被監視者Ｏｂを監視できるように、本実施形態では、赤外線の画像を生成する装置である。このような撮像部１１１は、例えば、本実施形態では、撮像対象における赤外の光学像を所定の結像面上に結像する結像光学系、前記結像面に受光面を一致させて配置され、前記撮像対象における赤外の光学像を電気的な信号に変換するイメージセンサ、および、イメージセンサの出力を画像処理することで前記撮像対象における赤外の画像を表すデータである画像データを生成する画像処理部等を備えるデジタル赤外線カメラである。撮像部１１１の前記結像光学系は、本実施形態では、その配設された居室ＲＭ全体を撮像できる画角を持つ広角な光学系（いわゆる広角レンズ（魚眼レンズを含む））であることが好ましい。
【００２５】
呼吸測定部１１２は、ＳＵ制御処理部１４に接続され、ＳＵ制御処理部１４の制御に従って、被監視者Ｏｂの呼吸を測定する装置である。前記呼吸の測定は、本実施形態では、前記呼吸に伴う胸部の体表の動きを測定することによって非接触で間接的に実施されており、例えば、呼吸測定部１１２は、ドップラセンサを備えて構成される。このドップラセンサは、送信波を送信し、物体で反射した前記送信波の反射波を受信し、前記送信波と前記反射波とに基づいてドップラ周波数成分のドップラ信号を出力する体動センサである。前記物体が動いている場合、いわゆるドップラ効果により前記物体の動いている速度に比例して反射波の周波数がシフトするため、送信波の周波数と反射波の周波数とに差（ドップラ周波数成分）が生じる。前記ドップラセンサは、このドップラ周波数成分の信号をドップラ信号（呼吸測定部１１２の測定結果）として生成し、ＳＵ制御処理部１４へ出力する。前記送信波は、超音波やマイクロ波等であって良いが、本実施形態では、マイクロ波である。マイクロ波は、着衣を透過して被監視者Ｏｂの体表で反射できるため、被監視者Ｏｂが衣服を着ていても前記呼吸に伴う胸部の体表の動きを検知でき、好ましい。
【００２６】
音入出力部１２は、ＳＵ制御処理部１４に接続され、外部の音を取得してセンサ装置ＳＵに入力するための回路であって、ＳＵ制御処理部１４の制御に従って音を表す電気信号に応じた音を生成して出力するための回路である。音入出力部１２は、例えば、音の音響振動を電気信号に変換するマイクロホン等と、音の電気信号を音の音響振動に変換するスピーカ等とを備えて構成される。音入出力部１２は、外部の音を表す電気信号をＳＵ制御処理部１４へ出力し、また、ＳＵ制御処理部１４から入力された電気信号を音の音響振動に変換して出力する。
【００２７】
ナースコール受付操作部１３は、ＳＵ制御処理部１４に接続され、ナースコールを当該センサ装置ＳＵに入力するための例えば押しボタン式スイッチ等のスイッチ回路である。なお、ナースコール受付操作部１３は、有線でＳＵ制御処理部１４に接続されて良く、また、例えばＢｌｕｅｔｏｏｔｈ（登録商標）規格等の近距離無線通信でＳＵ制御処理部１４に接続されて良い。
【００２８】
ＳＵ通信ＩＦ部１５は、ＳＵ制御処理部１４に接続され、ＳＵ制御処理部１４の制御に従って通信を行うための通信回路である。ＳＵ通信ＩＦ部１５は、ＳＵ制御処理部１４から入力された転送すべきデータを収容した通信信号を、この被監視者監視システムＭＳのネットワークＮＷで用いられる通信プロトコルに従って生成し、この生成した通信信号をネットワークＮＷを介して他の装置ＳＶ、ＳＰ、ＴＡへ送信する。ＳＵ通信ＩＦ部１５は、ネットワークＮＷを介して他の装置ＳＶ、ＳＰ、ＴＡから通信信号を受信し、この受信した通信信号からデータを取り出し、この取り出したデータをＳＵ制御処理部１４が処理可能な形式のデータに変換してＳＵ制御処理部１４へ出力する。ＳＵ通信ＩＦ部１５は、例えば、ＩＥＥＥ８０２．１１規格等に従った通信インターフェース回路を備えて構成される。
【００２９】
ＳＵ記憶部１６は、ＳＵ制御処理部１４に接続され、ＳＵ制御処理部１４の制御に従って、各種の所定のプログラムおよび各種の所定のデータを記憶する回路である。前記各種の所定のプログラムには、例えば、センサ装置ＳＵの各部を当該各部の機能に応じてそれぞれ制御するＳＵ制御プログラムや、センサ部１１における撮像部１１１の対象画像に基づいて被監視者Ｏｂにおける所定の行動を検知して管理サーバ装置ＳＶへ通知する行動検知処理プログラムや、センサ部１１における呼吸測定部１１２の測定結果に基づいて前記被監視者の呼吸が異常であるか否かを判定して呼吸異常を管理サーバ装置ＳＶへ通知する呼吸異常判定プログラムや、ナースコール受付操作部１３でナースコールを受け付けた場合にその旨を管理サーバ装置ＳＶへ通知し、音入出力部１２等を用いることで端末装置ＳＰ、ＴＡとの間で音声通話を行うナースコール処理プログラムや、撮像部１１１で生成した動画を、その動画を要求した端末装置ＳＰ、ＴＡへストリーミングで配信するストリーミング処理プログラム等の制御処理プログラムが含まれる。前記各種の所定のデータには、自機の、センサ装置ＳＵを特定し識別するための識別子であるセンサ装置識別子（センサＩＤ）、および、管理サーバ装置ＳＶの通信アドレス等の各プログラムを実行する上で必要なデータ等が含まれる。ＳＵ記憶部１６は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＳＵ記憶部１６は、前記所定のプログラムの実行中に生じるデータ等を記憶するいわゆるＳＵ制御処理部１４のワーキングメモリとなるＲＡＭ（Ｒａｎｄｏｍ  Ａｃｃｅｓｓ  Ｍｅｍｏｒｙ）等を含む。
【００３０】
ＳＵ制御処理部１４は、センサ装置ＳＵの各部を当該各部の機能に応じてそれぞれ制御し、被監視者Ｏｂに関わる所定のイベントを検知してこの検知した前記イベントを管理サーバ装置ＳＶへ通知し、端末装置ＳＰ、ＴＡとの間で音声通話を行い、そして、動画を含む画像を生成して端末装置ＳＰ、ＴＡへ動画を配信するための回路である。ＳＵ制御処理部１４は、例えば、ＣＰＵ（Ｃｅｎｔｒａｌ  Ｐｒｏｃｅｓｓｉｎｇ  Ｕｎｉｔ）およびその周辺回路を備えて構成される。ＳＵ制御処理部１４は、前記制御処理プログラムが実行されることによって、センサ側制御部（ＳＵ制御部）１４１、行動検知処理部１４２、呼吸異常判定部１４３、ナースコール処理部１４４およびストリーミング処理部１４５を機能的に備える。
【００３１】
ＳＵ制御部１４１は、センサ装置ＳＵの各部を当該各部の機能に応じてそれぞれ制御し、センサ装置ＳＵの全体制御を司るものである。
【００３２】
行動検知処理部１４２は、センサ部１１における撮像部１１１で生成された対象画像に基づいて、被監視者Ｏｂにおける、予め設定された所定の行動を検知して管理サーバ装置ＳＶへ通知するものである。より具体的には、本実施形態では、前記所定の行動は、上述したように、入床、起床、離床および転倒の４つの行動である。そして、行動検知処理部１４２は、例えば、撮像部１１１で撮像した対象画像に基づいて被監視者Ｏｂの頭部を検出し、この検出した被監視者Ｏｂの頭部における大きさの時間変化に基づいて被監視者Ｏｂの起床および転倒を検知し、撮像部１１１で撮像した対象画像に基づいて被監視者Ｏｂを検出し、この検出した被監視者Ｏｂと寝具との重なり具合に基づいて被監視者Ｏｂの離床および入床を検知する。より詳しくは、まず、寝具ＢＤの所在領域、第１閾値Ｔｈ１および第２閾値Ｔｈ２が前記各種の所定のデータの１つとして予めＳＵ記憶部１６に記憶される。前記第１閾値Ｔｈ１は、寝具ＢＤの所在領域内における横臥姿勢の頭部の大きさと座位姿勢の頭部の大きさとを識別するための値である。前記第１閾値Ｔｈ１は、寝具ＢＤの所在領域を除く居室ＲＭ内における横臥姿勢の頭部の大きさであるか否かを識別するための値である。行動検知処理部１４２は、対象画像から例えば背景差分法やフレーム差分法によって被監視者Ｏｂの人物の領域として動体領域を抽出する。次に、行動検知処理部１４２は、この抽出した動体領域から、例えば円形や楕円形のハフ変換によって、また例えば予め用意された頭部のモデルを用いたパターンマッチングによって、また例えば頭部検出用に学習したニューラルネットワークによって、被監視者Ｏｂの頭部領域を抽出する。そして、行動検知処理部１４２は、この抽出した頭部の位置および大きさから起床および転倒を検知する。例えば、行動検知処理部１４２は、この抽出した頭部の位置が寝具ＢＤの所在領域内であって、前記抽出した頭部の大きさが前記第１閾値Ｔｈ１を用いることによって横臥姿勢の大きさから座位姿勢の大きさへ時間変化した場合には、起床と判定し、前記起床を検知する。例えば、行動検知処理部１４２は、この抽出した頭部の位置が寝具ＢＤの所在領域を除く居室ＲＭ内であって、前記抽出した頭部の大きさが前記第２閾値Ｔｈ２を用いることによって或る大きさから横臥姿勢の大きさへ時間変化した場合には、転倒と判定し、前記転倒を検知する。そして、行動検知処理部１４２は、対象画像から上述のように抽出した動体領域と寝具ＢＤの所在領域とが重なった重なり領域を検出し、この重なり領域の時間変化から離床および入床を検知する。例えば、行動検知処理部１４２は、この検出した重なり領域が存在する状態から、前記重なり領域が存在しなくなった状態へ時間変化した場合には、離床と判定し、前記離床を検知する。例えば、行動検知処理部１４２は、この検出した重なり領域が存在しない状態から、前記重なり領域の存在の検出を介して、前記重なり領域全体が寝具ＢＤの所在領域内で重なった状態（すなわち、前記動体領域が前記寝具ＢＤの所在領域内に完全に包含された状態）へ時間変化した場合には、入床と判定し、前記入床を検知する。
【００３３】
このように前記所定の行動を検知すると、行動検知処理部１４２は、被監視者Ｏｂに関わる所定のイベント（事象）の内容を表すイベント情報（事象情報）を収容した、前記イベントを通知するための第１イベント通知通信信号をＳＵ通信ＩＦ部１５で管理サーバ装置ＳＶへ通知する。より詳しくは、行動検知処理部１４２は、自機のセンサＩＤ、前記イベントの内容を表すイベント情報、前記イベントに関わる対象画像を収容した通信信号（第１イベント通知通信信号）を、ＳＵ通信ＩＦ部１５を介して管理サーバ装置ＳＶへ送信する。前記イベント情報は、本実施形態では、入床、起床、離床、転倒、呼吸異常およびナースコール（ＮＣ）のうちの１または複数であり、ここでは、行動検知処理部１４２は、検知した入床、起床、離床および転倒のうちの１または複数を前記イベント情報として第１イベント通知通信信号に収容する。前記イベントに関わる対象画像は、ここでは、例えば、前記所定の行動の検知に用いられた画像である。前記対象画像は、静止画および動画のうちの少なくとも一方であって良く、本実施形態では、まず、静止画が通知され、ユーザの要求に応じて動画が配信される。なお、まず、動画が配信されても良く、また、静止画および動画が送信され、画面分割で静止画および動画が端末装置ＳＰ、ＴＡに表示されても良い。
【００３４】
呼吸異常判定部１４３は、センサ部１１における呼吸測定部１１２の測定結果に基づいて前記被監視者の呼吸が異常であるか否かを判定して呼吸異常を管理サーバ装置ＳＶへ通知するものである。前記呼吸異常は、図３Ａに示す波形パターンの正常呼吸に対し異常な波形パターンを示す呼吸であり、例えば、本実施形態では、呼吸停止（図３Ｂ）、睡眠時無呼吸（図３Ｃ）、徐呼吸（図３Ｄ）、頻呼吸（図３Ｅ）、低呼吸（図３Ｆ）、過呼吸（図３Ｇ）、Ｋｕｓｓｍａｕｌの大呼吸（図３Ｈ）およびＣｈｅｙｎｅ−Ｓｔｏｋｅｓ呼吸（図３Ｉ）が含まれる。前記呼吸停止は、３０秒間呼吸が停止した場合である。前記睡眠時無呼吸は、１０秒以上の呼吸停止が睡眠中の１時間あたり５回以上観察される場合である。前記徐呼吸は、１分あたりの呼吸数が１２回以下の場合である。前記頻呼吸は、１分あたりの呼吸数が２４回以上の場合である。前記低呼吸は、呼吸が浅くなった状態で、体動の振幅量が通常より小さい（例えば過去１ヶ月の平均値より４０％の低下で検出される）場合である。前記過呼吸は、呼吸が深くなった状態で、体動の振幅量が通常より大きい（例えば過去１ヶ月の平均値より４０％の上昇で検出される）場合である。前記Ｋｕｓｓｍａｕｌの大呼吸は、１分あたりの呼吸数が１２回以下でかつ、体動の振幅量が通常より大きい（例えば過去１ヶ月の平均値より４０％以上大きいで検出される）場合である。前記Ｃｈｅｙｎｅ−Ｓｔｏｋｅｓ呼吸は、体動の振幅量が1回毎に増大（例えば最大値が１．５倍）した後に縮小し、その後、無呼吸状態が所定時間（例えば２０秒〜１分）続く状態が繰り返される場合である。これら呼吸停止、睡眠時無呼吸、徐呼吸、頻呼吸、低呼吸、過呼吸、Ｋｕｓｓｍａｕｌの大呼吸およびＣｈｅｙｎｅ−Ｓｔｏｋｅｓ呼吸それぞれは、呼吸測定部１１２の測定結果（本実施形態ではドップラセンサのドップラ信号）に基づいて、公知の常套手法によって検出される。
【００３５】
このように呼吸異常を検知すると、呼吸異常判定部１４３は、その旨を前記所定のイベントの他の一例として収容した第１イベント通知通信信号を管理サーバ装置ＳＶへ通知する。より具体的には、呼吸異常判定部１４３は、自機のセンサＩＤ、前記イベント情報として呼吸異常、および、前記イベントに関わる対象画像を収容した第１イベント通知通信信号を、ＳＵ通信ＩＦ部１５を介して管理サーバ装置ＳＶへ送信する。前記イベントに関わる対象画像は、ここでは、例えば、呼吸異常を検知した際に、センサ部１１の撮像部１１１によって生成された画像である。
【００３６】
ナースコール処理部１４４は、ナースコール受付操作部１３でナースコールを受け付けた場合にその旨を前記所定のイベントの他の一例として収容した第１イベント通知通信信号を管理サーバ装置ＳＶへ通知し、音入出力部１２等を用いることで端末装置ＳＰ、ＴＡとの間で音声通話を行うものである。より具体的には、ナースコール処理部１４４は、ナースコール受付操作部１３が入力操作されると、自機のセンサＩＤおよび前記イベント情報としてナースコールを収容した第１イベント通知通信信号をＳＵ通信ＩＦ部１５を介して管理サーバ装置ＳＶへ送信する。なお、このナースコールをイベント情報として収容する第１イベント通知通信信号には、さらに、前記イベントに関わる対象画像として、ナースコール受付操作部１３でナースコールを受け付けた際に、センサ部１１の撮像部１１１によって生成された画像が収容されても良い。そして、ナースコール処理部１４４は、音入出力部１２等を用い、端末装置ＳＰ、ＴＡとの間で例えばＶｏＩＰ（Ｖｏｉｃｅ  ｏｖｅｒ  Ｉｎｔｅｒｎｅｔ  Ｐｒｏｔｏｃｏｌ）によって音声通話を行う。
【００３７】
ストリーミング処理部１４５は、通信ＩＦ部３を介して固定端末装置ＳＰまたは携帯端末装置ＴＡから動画の配信の要求があった場合に、この要求のあった固定端末装置ＳＰまたは携帯端末装置ＴＡへ、撮像部１１１で生成した動画（例えばライブの動画）をストリーミング再生でＳＵ通信ＩＦ部１５を介して配信するものである。
【００３８】
図１には、一例として、４個の第１ないし第４センサ装置ＳＵ−１〜ＳＵ−４が示されており、第１センサ装置ＳＵ−１は、被監視者Ｏｂの一人であるＡさんＯｂ−１の居室ＲＭ−１（不図示）に配設され、第２センサ装置ＳＵ−２は、被監視者Ｏｂの一人であるＢさんＯｂ−２の居室ＲＭ−２（不図示）に配設され、第３センサ装置ＳＵ−３は、被監視者Ｏｂの一人であるＣさんＯｂ−３の居室ＲＭ−３（不図示）に配設され、そして、第４センサ装置ＳＵ−４は、被監視者Ｏｂの一人であるＤさんＯｂ−４の居室ＲＭ−４（不図示）に配設されている。
【００３９】
管理サーバ装置ＳＶは、ネットワークＮＷを介して他の装置ＳＵ、ＴＡ、ＳＰと通信する通信機能を備え、センサ装置ＳＵから前記所定のイベントの通知を受けると、被監視者Ｏｂに対する監視に関する情報（監視情報（本実施形態では例えば前記所定のイベント（センサ装置ＳＵで検知した所定の行動および呼吸異常や、センサ装置ＳＵで受け付けたナースコール）、被監視者Ｏｂの画像（静止画および動画）、および、前記通知を受けた時刻等））を管理し、前記所定のイベントを所定の端末装置ＳＰ、ＴＡへ通知（再通知、再報知、送信）し、クライアント（本実施形態では端末装置ＳＰ、ＴＡ等）の要求に応じたデータを前記クライアントに提供し、被監視者監視システムＭＳ全体を管理する装置である。そして、本実施形態では、管理サーバ装置ＳＶは、前記監視情報から、所定の期間内における、所定の被監視者Ｏｂに対応するイベントの種類を抽出し、この抽出結果に基づいて、前記所定の期間内におけるイベントを、前記被監視者Ｏｂに対応付けて種類別に、例えば固定端末装置ＳＰに表示させる。このような管理サーバ装置ＳＶは、例えば、図４に示すように、サーバ側通信インターフェース部（ＳＶ通信ＩＦ部）２１と、サーバ側制御処理部（ＳＶ制御処理部）２２と、サーバ側記憶部（ＳＶ記憶部）２３とを備える。
【００４０】
ＳＶ通信ＩＦ部２１は、ＳＵ通信ＩＦ部１５と同様に、ＳＶ制御処理部２２に接続され、ＳＶ制御処理部２２の制御に従って通信を行うための通信回路である。ＳＶ通信ＩＦ部２１は、例えば、ＩＥＥＥ８０２．１１規格等に従った通信インターフェース回路を備えて構成される。
【００４１】
ＳＶ記憶部２３は、ＳＶ制御処理部２２に接続され、ＳＶ制御処理部２２の制御に従って、各種の所定のプログラムおよび各種の所定のデータを記憶する回路である。前記各種の所定のプログラムには、例えば、管理サーバ装置ＳＶの各部を当該各部の機能に応じてそれぞれ制御するＳＶ制御プログラムや、被監視者Ｏｂに対する監視に関する所定の情報処理を実行するＳＶ監視処理プログラムや、ＳＶ記憶部２３に記憶された監視情報から、所定の期間内における、所定の被監視者Ｏｂに対応するイベントの種類を抽出する履歴情報抽出処理プログラムや、ＳＶ記憶部２３に記憶された監視情報に対し、所定の分析処理を実行する分析処理プログラムや、計時を行う時計プログラム等の制御処理プログラムが含まれる。前記各種の所定のデータには、自機の、管理サーバ装置ＳＶを特定し管理サーバ装置ＳＶを識別するための識別子であるサーバ識別子（サーバＩＤ）や、被監視者Ｏｂの前記監視情報や、前記所定のイベントの通知先等の装置ＳＵ、ＳＰ、ＴＡ間の情報を表す装置間情報や、センサ装置ＳＵに関するセンサ情報等の各プログラムを実行する上で必要なデータ等が含まれる。これら監視情報、装置間情報およびセンサ情報それぞれを記憶するために、ＳＶ記憶部２３は、監視情報記憶部２３１、装置間情報記憶部２３２およびセンサ情報記憶部２３３を機能的に備える。
【００４２】
監視情報記憶部２３１は、各装置ＳＵ、ＳＰ、ＴＡそれぞれとの間で送受信した被監視者Ｏｂの監視情報を記憶するものである。より具体的には、監視情報記憶部２３１には、本実施形態では、前記監視情報として、第１イベント通知通信信号等の通信信号に収容された各情報に基づいて、センサＩＤ、イベント情報（本実施形態では入床、起床、離床、転倒、呼吸異常およびナースコール）、受信時刻、対象画像（静止画および動画）、通知の有無および対応の有無が互いに対応付けて記憶される。
【００４３】
この監視情報は、本実施形態では、テーブル形式で監視情報記憶部３２１に記憶されている。この監視情報を登録する監視情報テーブルＭＴは、例えば、図５に示すように、各装置ＳＵ、ＳＰ、ＴＡから受信した通信信号に収容されたセンサＩＤを登録するセンサＩＤフィールド２３１１と、前記受信した通信信号に収容されたイベント情報を登録するイベントフィールド（イベントフィールド）２３１２と、前記受信した通信信号の受信時刻を登録する受信時刻フィールド２３１３と、前記受信した通信信号に収容された前記静止画を登録する静止画フィールド２３１４と、ライブ動画の取得先として、前記受信した通信信号に収容されたセンサＩＤに対応するセンサ装置ＳＵの通信アドレス（例えばＩＰアドレス等）を登録する動画フィールド２３１５と、前記受信した通信信号に収容されたイベント情報に対する所定の端末装置ＳＰ、ＴＡへの通知の有無を登録する通知フィールド２３１６と、前記受信した通信信号に収容されたイベント情報に対する対応の受付の有無を登録する対応フィールド２３１７とを備え、前記受信した通信信号ごと（各イベントごと）にレコードを備える。静止画フィールド２３１４には、例えば、静止画の画像データが登録されて良く、また例えば、静止画の画像データのファイル名が登録されて良い。通知フィールド２３１６には、後述するように、前記受信した通信信号に収容されたイベント情報を所定の端末装置ＳＰ、ＴＡへ通知（再通知）したか否かを表すフラグ（通知フラグ）が登録される。例えば、本実施形態では、通知フィールド２３１６には、前記受信した通信信号に収容されたイベント情報を所定の端末装置ＳＰ、ＴＡへ通知したこと（通知済み）を意味する通知フラグ「１」、あるいは、前記受信した通信信号に収容された前記イベント情報を前記所定の端末装置ＳＰ、ＴＡへ通知していないこと（未通知）を意味する通知フラグ「０」が登録される。なお、デフォルトでは、通知フィールド２３１６には、未通知を意味する通知フラグ「０」が登録される。対応フィールド２３１７には、後述するように、前記受信した通信信号に収容されたイベント情報に対し例えば救命、看護、介護および介助等の所定の対応（対処、処置、措置）する意思が端末装置を扱う監視者（ユーザ）にある旨を前記端末装置ＳＰ、ＴＡで受け付けたか否かを表すフラグ（対応フラグ）が登録される。例えば、本実施形態では、対応フィールド２３１７には、前記受信した通信信号にイベント情報として収容された前記所定の行動の種類、呼吸異常およびナースコール（イベントフィールド２３１２に登録されたイベント情報）に対処する意思がある旨を端末装置ＳＰ、ＴＡで受け付けたこと（受付済み）を意味する対応フラグ「１」、あるいは、前記受信した通信信号に収容された前記イベント情報に対処する意思がある旨を端末装置ＳＰ、ＴＡで受け付けていないこと（未受付）を意味する対応フラグ「０」が登録される。なお、デフォルトでは、対応フィールド２３１７には、未受付を意味する対応フラグ「０」が登録される。
【００４４】
なお、第１イベント通知通信信号に、前記所定の行動を検知した検知時刻、前記呼吸異常を検知した検知時刻、または、前記ナースコールを受け付けて検知した検知時刻が収容されている場合には、受信時刻に代え、前記検知時刻が登録されても良い。
【００４５】
装置間情報記憶部２３２は、前記装置間情報として、本実施形態では、通知先対応関係および通信アドレス対応関係等を記憶するものである。前記通知先対応関係は、センサ装置ＳＵから送信された第１イベント通知通信信号等に対し、通知元（送信元）であるセンサＩＤと、イベントの種類ごとのその通知の許否と、通知先（送信先）である端末ＩＤとの対応関係である。前記通信アドレス対応関係は、各装置ＳＵ、ＳＰ、ＴＡのＩＤ（センサＩＤ、端末識別子（端末ＩＤ））とその通信アドレスとの対応関係である。前記端末ＩＤは、端末装置ＳＰ、ＴＡを特定し端末装置ＳＰ、ＴＡを識別するための識別子である。
【００４６】
これら通知先対応関係および通信アドレス対応関係は、それぞれ、本実施形態では、テーブル形式で装置間情報記憶部２３２に記憶されている。この通知先対応関係を登録する通知先対応関係情報テーブルＡＴは、例えば、図６Ａに示すように、通知元（送信元）のセンサ装置ＳＵのセンサＩＤを登録するセンサＩＤフィールド２３２１と、センサＩＤフィールド２３２１に登録されたセンサＩＤに対応するセンサ装置ＳＵから通知されたイベントを通知する通知先（送信先）となる端末装置ＳＰ、ＴＡの端末ＩＤを登録する通知先フィールド２３２３と、センサＩＤフィールド２３２１に登録されたセンサＩＤに対応するセンサ装置ＳＵから通知されたイベントを、通知先フィールド２３２３に登録された端末ＩＤに対応する端末装置ＳＰ、ＴＡへ通知（送信）するか否かを表す通知の許否を登録する通知許否フィールド２３２２とを備え、センサＩＤ（センサ装置ＳＵ）ごとにレコードを備える。前記通知の許否は、本実施形態では、イベントの種類ごとに設定できるように構成されている。このため、これに応じて、通知許否フィールド２３２２は、イベントの種類ごとに通知の許否を登録する複数のサブフィールドを備える。より具体的には、通知許否フィールド２３２２は、センサＩＤフィールド２３２１に登録されたセンサＩＤに対応するセンサ装置ＳＵから通知されたイベントの種類が入床である場合に、前記イベントの通知（送信）の許否を登録する入床サブフィールド２３２２１と、前記通知されたイベントの種類が起床である場合に、前記イベントの通知の許否を登録する起床サブフィールド２３２２２と、前記通知されたイベントの種類が離床である場合に、前記イベントの通知の許否を登録する離床サブフィールド２３２２３と、前記通知されたイベントの種類が転倒である場合に、前記イベントの通知の許否を登録する転倒サブフィールド２３２２４と、前記通知されたイベントの種類が呼吸異常である場合に、前記イベントの通知の許否を登録する呼吸異常サブフィールド２３２２５と、前記通知されたイベントの種類がナースコールである場合に、前記イベントの通知の許否を登録するナースコールサブフィールド（ＮＣサブフィールド）２３２２６とを備える。通知許否フィールド２３２２（２３２２１〜２３２２６）には、前記イベントを通知するか否かを表すフラグ（通知許否フラグ）が登録される。例えば、本実施形態では、通知許否フィールド２３２２（２３２２１〜２３２２６）には、前記イベントの通知を許可すること（通知実行）を意味する通知許否フラグ「１」、あるいは、前記イベントの通知を許可しないこと（通知不実行）を意味する通知許否フラグ「０」が登録される。なお、デフォルトでは、通知許否フィールド２３２２（２３２２１〜２３２２６）には、通知の許可を意味する通知許否フラグ「１」が登録される。なお、この通知先対応関係情報テーブルＡＴは、センサ装置ＳＵで検知されてセンサ装置ＳＵから受信したイベントを所定の端末装置ＳＰ、ＴＡへ通知するか否かをそのイベントの種類ごとに表す通知許否情報の一例に相当する。
【００４７】
前記通信アドレス対応関係を登録する通信アドレス対応関係情報テーブルＤＴは、例えば、図６Ｂに示すように、各装置ＳＵ、ＳＰ、ＴＡのＩＤを登録するＩＤフィールド２３２５と、ＩＤフィールド２３２５に登録されたＩＤに対応する各装置ＳＵ、ＳＰ、ＴＡの通信アドレスを登録する通信アドレスフィールド２３２６とを備え、ＩＤ（各装置ＳＵ、ＳＰ、ＴＡ）ごとにレコードを備える。
【００４８】
なお、センサＩＤ、サーバＩＤおよび端末ＩＤそれぞれは、例えば所定の記号列から成るシリアル番号等であって良く、また例えば通信アドレスであって良い（この場合通信アドレス対応関係は省略できる）。
【００４９】
センサ情報記憶部２３３は、前記センサ情報を記憶するものである。本実施形態では、前記センサ情報は、センサ装置ＳＵに関する情報であり、センサ装置ＳＵのセンサＩＤと被監視者Ｏｂの被監視者名とを互いに対応付けた情報である。
【００５０】
このようなセンサ情報は、本実施形態では、テーブル形式でセンサ情報記憶部２３３に記憶される。より具体的には、センサ情報を登録するセンサ情報テーブルＳＴは、例えば、図７に示すように、センサＩＤを登録するセンサＩＤフィールド２３３１と、前記センサＩＤフィールド２３３１に登録されているセンサＩＤを持つセンサ装置ＳＵの配設場所を登録する配設場所フィールド２３３２と、前記センサＩＤフィールド２３３１に登録されているセンサＩＤを持つセンサ装置ＳＵによって監視される被監視者Ｏｂ（すなわち、前記センサＩＤフィールド２３３１に登録されているセンサＩＤを持つセンサ装置ＳＵの配設場所に居る被監視者Ｏｂ）の被監視者名を登録する被監視者名フィールド２３３３と、前記センサＩＤフィールド２３３１に登録されているセンサＩＤを持つセンサ装置ＳＵ、その配設場所およびその被監視者Ｏｂに関する備考を登録する備考フィールド２３３４とを備え、センサＩＤ（すなわち、センサ装置ＳＵ、さらに言い換えれば、被監視者Ｏｂ）ごとにレコードを持つ。
【００５１】
上述のように、本実施形態では、前記監視情報は、センサＩＤを用いたリレーショナルで、センサ装置ＳＵで検知されて前記センサ装置ＳＵから受信したイベントを、前記センサ装置ＳＵに対応する被監視者Ｏｂ（被監視者名）に対応付けてＳＶ記憶部２３に記憶されている。
【００５２】
ＳＶ制御処理部２２は、管理サーバ装置ＳＶの各部を当該各部の機能に応じてそれぞれ制御し、センサ装置ＳＵから前記所定のイベントの通知を受けると、被監視者Ｏｂに対する監視に関する監視情報を管理し、前記所定のイベントを所定の端末装置ＳＰ、ＴＡへ通知（再通知、再報知、送信）し、クライアントの要求に応じたデータを前記クライアントに提供し、被監視者監視システムＭＳ全体を管理するための回路である。本実施形態では、ＳＶ制御処理部２２は、前記監視情報から、所定の期間内における、所定の被監視者Ｏｂに対応するイベントの種類を抽出し、この抽出結果に基づいて、前記所定の期間内におけるイベントを、前記被監視者Ｏｂに対応付けて種類別に、例えば固定端末装置ＳＰに表示させる。ＳＶ制御処理部２２は、例えば、ＣＰＵおよびその周辺回路を備えて構成される。ＳＶ制御処理部２２は、前記制御処理プログラムが実行されることによって、サーバ側制御部（ＳＶ制御部）２２１、監視処理部２２２、履歴情報抽出処理部２２３、分析処理部２２４および時計部２２５を機能的に備える。
【００５３】
ＳＶ制御部２２１は、管理サーバ装置ＳＶの各部を当該各部の機能に応じてそれぞれ制御し、管理サーバ装置ＳＶの全体制御を司るものである。
【００５４】
監視処理部２２２は、センサ装置ＳＵから前記所定のイベントの通知を受信すると被監視者Ｏｂに対する監視に関する監視情報を管理し、前記受信したイベントの種類に対応する通知の許否に基づいて前記所定のイベントを所定の端末装置ＳＰ、ＴＡへ通知するものである。より具体的には、監視処理部２２２は、センサ装置ＳＵから前記第１イベント通知通信信号を受信すると、この受信した第１イベント通知通信信号に収容された、被監視者Ｏｂに対する監視に関する監視情報を監視情報記憶部２３１に記憶（記録）する。そして、監視処理部２２２は、この受信した第１イベント通知通信信号を送信したセンサ装置ＳＵに対応し、かつ、前記受信した第１イベント通知通信信号に収容されたイベント情報の表すイベントの種類に対応する通知の許否を装置間情報記憶部２３２に記憶された前記通知先対応関係から検索し、この検索の結果、通知の不許可である場合には、監視処理部２２２は、第２イベント通知通信信号を送信せずに、前記第２イベント通知通信信号を送信（通知）しなかったことを監視情報記憶部２３１に記憶（記録）し、一方、前記検索の結果、通知の許可である場合には、さらに、監視処理部２２２は、前記受信した第１イベント通知通信信号を送信したセンサ装置ＳＵに対応する通知先（再通知先、転送先、送信先）を装置間情報記憶部２３２に記憶された前記通知先対応関係から選定（検索）し、この選定した端末装置ＳＰ、ＴＡへ第２イベント通知通信信号を送信し、前記第２イベント通知通信信号を送信（通知）したことを監視情報記憶部２３１に記憶（記録）する。この選定（検索処理）は、前記受信した第１イベント通知通信信号を送信したセンサ装置ＳＵに対応するセンサＩＤに基づいて実施される。前記第２イベント通知通信信号には、前記第１イベント通知通信信号に収容されたイベント情報が前記所定の行動（入床、起床、離床および転倒のうちの１または複数）および呼吸異常のうちのいずれかである場合には、第１イベント通知通信信号に収容されたセンサＩＤ、イベント情報および対象画像、ならびに、動画のダウンロード先として、第１イベント通知通信信号に収容されたセンサＩＤを持つセンサ装置ＳＵに対応する通信アドレスが収容される。この通信アドレスは、前記受信した第１イベント通知通信信号を送信したセンサ装置ＳＵに対応するセンサＩＤに基づいて通信アドレス対応関係から選定（検索）される。前記第１イベント通知通信信号に収容されたイベント情報が呼吸異常である場合には、前記第２イベント通知通信信号には、第１イベント通知通信信号に収容されたセンサＩＤ、イベント情報（呼吸異常）および対象画像が収容される。前記第１イベント通知通信信号に収容されたイベント情報がナースコールである場合には、前記第２イベント通知通信信号には、第１イベント通知通信信号に収容されたセンサＩＤおよびイベント情報（ナースコール）が収容される。
【００５５】
履歴情報抽出処理部２２３は、ＳＶ記憶部２３の監視情報記憶部２３１に記憶された監視情報から、所定の期間内における、所定の被監視者Ｏｂに対応するイベントの種類を抽出するものである。そして、監視処理部２２２は、さらに、この履歴情報抽出処理部２２３の抽出結果に基づいて、前記所定の期間内におけるイベントを、被監視者Ｏｂに対応付けて種類別に、所定の表示装置に表示させる。監視処理部２２２は、前記所定の表示装置に表示させる際に、さらに、前記イベントの通知の有無を前記所定の表示装置に表示させる。
【００５６】
履歴情報抽出処理部２２３で用いられる前記所定の期間および前記所定の被監視者Ｏｂは、外部から入力され、指定される。例えば、前記所定の表示装置がさらに入力部を備え、前記所定の期間および前記所定の被監視者Ｏｂは、この入力部から入力され、指定される。前記所定の表示装置は、例えば、当該管理サーバ装置ＳＶが図４に破線で示すように後述のサーバ側入力部（ＳＶ入力部）２４およびサーバ側出力部（ＳＶ出力部）２５を備える場合には、このＳＶ出力部２５であって良く、前記所定の期間および前記所定の被監視者Ｏｂは、このＳＶ入力部２４から入力され、指定される。本実施形態では、例えば、前記所定の表示装置は、当該管理サーバ装置ＳＶに通信可能に接続される表示装置、例えば端末装置ＳＰ、ＴＡであり、ここでは、固定端末装置ＳＰである。前記所定の期間および前記所定の被監視者Ｏｂは、監視者（ユーザ）によって固定端末装置ＳＰから入力され、固定端末装置ＳＰは、前記入力されて指定された前記所定の被監視者Ｏｂの被監視者名（または前記所定の被監視者Ｏｂを監視するセンサ装置ＳＵのセンサＩＤ）、および、前記入力されて指定された前記所定の期間等を収容する通信信号（例えば、後述の個人履歴要求通信信号や個人分析要求通信信号）を管理サーバ装置ＳＶへ送信する。履歴情報抽出処理部２２３は、ＳＶ記憶部２３の監視情報記憶部２３１に記憶された監視情報から、この個人履歴要求通信信号に収容された所定の期間内における、所定の被監視者Ｏｂに対応するイベントの種類を抽出する。そして、監視処理部２２２は、履歴情報抽出処理部２２３で前記所定の期間内で抽出された、イベントの種類および被監視者Ｏｂの被監視者名を収容する通信信号（例えば、後述の履歴情報通知通信信号や分析情報通知通信信号）を、前記所定の表示装置（ここでは固定端末装置ＳＰ）へ送信し、前記所定の期間内におけるイベントを、前記所定の被監視者Ｏｂに対応付けて種類別に、前記所定の表示装置（ここでは固定端末装置ＳＰ）に表示させる。前記所定の期間は、適宜に指定され、例えば、１日、１週間、１カ月および３カ月等に指定される。
【００５７】
分析処理部２２４は、ＳＶ記憶部２３の監視情報記憶部２３１に記憶された監視情報に対し、所定の分析処理を実行するものである。より具体的には、例えば、分析処理部２２４は、上述の履歴情報抽出処理部２２３の抽出結果に基づいて、入床から離床までの時間を臥床時間として求め、この求めた臥床時間の中から、所定の第１時刻以降の最初の入床から翌日の所定の第２時刻以降の最初の離床までの時間を睡眠時間とする第１分析処理を実行する。前記所定の第１および第２時刻それぞれは、夜間の睡眠時間を探索するための時刻であり、適宜に設定される。前記所定の第１時刻は、例えば、２０時や２１時や２２時等に設定され、前記所定の第２時刻は、５時や６時や７時等に設定される。本実施形態では、例えば、前記所定の第１時刻は、２０時に設定され、前記所定の第２時刻は、５時に設定されている。
【００５８】
そして、監視処理部２２２は、上述の履歴情報抽出処理部２２３の抽出結果に基づいて、前記所定の期間内におけるイベントを、被監視者Ｏｂに対応付けて種類別に、前記所定の表示装置（ここでは固定端末装置ＳＰ）に表示させる際に、さらに、分析処理部２２４で求められた睡眠時間（夜間睡眠時間）と前記睡眠時間を除いた残余の臥床時間（日中睡眠時間）とを互いに異なる表示態様で前記所定の表示装置（ここでは固定端末装置ＳＰ）に表示させる。例えば、前記睡眠時間と、前記睡眠時間を除いた残余の臥床時間とは、互いに異なる表示色で前記所定の表示装置に表示される。一例では、前記睡眠時間は、青色で表示され、前記睡眠時間を除いた残余の臥床時間は、黄色で表示される。また例えば、前記睡眠時間と、前記睡眠時間を除いた残余の臥床時間とは、互いに異なる点灯状態で前記所定の表示装置に表示される。一例では、前記睡眠時間は、常時点灯で表示され、前記睡眠時間を除いた残余の臥床時間は、点滅で表示される。
【００５９】
分析処理部２２４は、さらに、監視情報記憶部２３１に記憶された監視情報から、分析対象である所定の第２期間内における、所定の被監視者Ｏｂに対応するイベントを種類別に計数することで第１計数結果を求め、前記所定の第２期間よりも以前の所定の第３期間内における、前記所定の被監視者Ｏｂに対応するイベントを種類別に計数して前記第２期間長に応じた平均値で第２計数結果を求め、前記第１計数結果と前記第２計数結果とを種類別に比較し、所定の閾値以上変化している種類別の比較結果を求める第２分析処理を実行する。本実施形態では、例えば、前記所定の第２期間は、複数のサブ期間を備え、分析処理部２２４は、１人の被監視者Ｏｂに対して複数のサブ期間それぞれについて、当該サブ期間を前記第２期間とする前記第２分析処理を実行する。また例えば、分析処理部２２４は、複数の被監視者Ｏｂそれぞれについて、前記第２分析処理を実行する。監視処理部２２２は、さらに、前記第２分析処理の実行で求めた所定の閾値以上変化している種類別の比較結果を前記所定の表示装置に表示させる。例えば、監視処理部２２２は、前記第２分析処理の実行で求めた所定の閾値以上変化している種類別の比較結果と、前記第２分析処理の実行で求めた所定の閾値以上変化していない種類別の比較結果とを互いに異なる表示態様で前記所定の表示装置に表示させる。例えば、上述同様に、各比較結果は、互いに異なる表示色や点灯状態等で表示される。
【００６０】
この第２分析処理で用いられる前記所定の第２期間および前記所定の被監視者Ｏｂは、外部から入力され、指定される。例えば、上述と同様に、これら前記所定の第２期間および前記所定の被監視者Ｏｂは、例えばＳＶ入力部２４から入力されて良く、また例えば固定端末装置ＳＰから入力されて良く、また例えば携帯端末装置ＴＡから入力されて良い。前記所定の第２期間は、適宜に指定され、例えば、１日、１週間、１カ月および３カ月等に指定される。前記サブ期間は、前記所定の第２期間に応じて適宜に指定され、例えば、１日、１週間、１カ月および３カ月等に指定される（（第２期間長）≧（サブ期間長））。例えば、前記第２期間が１週間である場合に、前記サブ期間は、１日である。また例えば、前記第２期間が１カ月である場合に、前記サブ期間は、１週間である、あるいは、１日である。本実施形態では、前記サブ期間は、デフォルト値として１日が設定されている。前記所定の第３期間は、適宜に予め設定され、１日、１週間、１カ月および３カ月等に設定される。好ましくは、前記所定の第３期間は、前記所定の第２期間に応じて変更される。また好ましくは、前記所定の第２期間と前記所定の第３期間とは、同じ期間長である。例えば、前記所定の第２期間が１日である場合に、前記所定の第３期間は、１週間である、あるいは、１日である。また例えば、前記所定の第２期間が１週間である場合に、前記所定の第３期間は、１カ月である、あるいは、１週間である。なお、本実施形態では、前記所定の第３期間は、デフォルト値として例えば１週間が設定されている。また、前記所定の第３期間も外部から入力され、指定されても良い。前記所定の閾値は、イベントの種類別に、適宜に予め設定され、例えば、第２計数結果に対する第１計数結果の比（（第１計数結果）／（第２計数結果））で１．４、１．５、１．６等に設定される。
【００６１】
より具体的には、本実施形態では、所定の期間内におけるイベントを、被監視者Ｏｂに対応付けて種類別に、前記所定の表示装置に表示する態様（表示モード）は、センサ装置ＳＵで検知されたイベントの検知履歴を個人ごとに個別に表示する個人履歴表示モードと、センサ装置ＳＵで検知されたイベントを個人別、かつ、イベントの種類別に集計して複数の被監視者Ｏｂについて表示する個人分析表示モードとを備える。前記個人履歴表示モードは、さらに、センサ装置ＳＵで検知されたイベントの検知履歴を日別にタイムチャートで表示するタイムチャート表示モードと、センサ装置ＳＵで検知されたイベントを集計期間別、かつ、イベントの種類別に集計して表示するグラフ表示モードとを備える。
【００６２】
前記個人履歴表示モードでは、個人履歴要求通信信号が用いられる。この個人履歴要求通信信号には、センサ装置ＳＵで検知されたイベントの個人履歴を要求する指示（第１指示、第１命令、第１コマンド）、前記入力されて指定された前記所定の被監視者Ｏｂの被監視者名（または前記所定の被監視者Ｏｂを監視するセンサ装置ＳＵのセンサＩＤ）、前記入力されて指定された前記所定の期間、および、表示モード等が収容され、端末装置ＳＰ、ＴＡから管理サーバ装置ＳＶへ送信される。この個人履歴要求通信信号には、前記表示モードとして、前記タイムチャート表示モードまたは前記グラフ表示モードが収容される。
【００６３】
前記タイムチャート表示モードでは、監視処理部２２２は、被監視者Ｏｂに対応して設けられ、前記所定の期間に応じた時間軸上に、前記イベントの種類を表した所定のマークを、前記イベントの検知時刻または受信時刻で、表示し、前記所定のマークを前記イベントの通知の有無に応じて互いに異なる表示態様で表示し、そして、夜間睡眠時間と日中睡眠時間とを互いに異なる表示態様で表示することで、履歴情報抽出処理部２２３の抽出結果に基づいて、前記所定の期間内におけるイベントを、前記被監視者Ｏｂに対応付けて種類別に、前記所定の表示装置に表示させる。より詳しくは、監視処理部２２２は、被監視者Ｏｂに対応して設けられ、前記所定の期間に応じた時間軸上に、前記イベントの種類を表した所定のマークを、前記イベントの受信時刻で、表示し、前記所定のマークを前記イベントの通知の有無に応じて互いに異なる表示態様で表示し、そして、夜間睡眠時間と日中睡眠時間とを互いに異なる表示態様のバーで表示する、所定のマークアップ言語で記述した画面データ（電子ファイル、タイムチャート個人履歴表示画面の電子ファイル）を通信信号（タイムチャート表示の履歴情報通知通信信号）に収容して前記所定の表示装置へ送信する。前記所定のマーク（印、記号、符号、アイコン）は、例えば円形や多角形等の図形マークであり、例えば、前記イベントの通知の有りでは、その輪郭線が実線で表示され、前記イベントの通知の無しでは、その輪郭線が破線で表示される。また例えば、前記イベントの通知の有無に応じて前記輪郭線の表示色が異なっても良い。
【００６４】
前記グラフ表示モードでは、監視処理部２２２は、被監視者Ｏｂに対応して設けられ、前記所定の期間に応じて集計期間ごとに設けられた各欄（各行または各列）に、前記所定の期間内における前記被監視者Ｏｂに対応するイベントを前記集計期間ごとに種類別に計数した種類別の各計数結果を、イベントの種類順に並べた各棒グラフ（イベント別の各列または各行に各棒グラフ）で表示することで、履歴情報抽出処理部２２３の抽出結果に基づいて、前記所定の期間内におけるイベントを、前記被監視者Ｏｂに対応付けて種類別に、前記所定の表示装置に表示させる。より詳しくは、監視処理部２２２は、被監視者Ｏｂに対応して設けられ、前記所定の期間に応じて集計期間ごとに設けられた各欄に、前記所定の期間内における前記被監視者Ｏｂに対応するイベントを前記集計期間ごとに種類別に計数した種類別の各計数結果を、イベントの種類順に並べた各棒グラフで表示する、所定のマークアップ言語で記述した画面データ（電子ファイル、グラフ個人履歴表示画面の電子ファイル）を通信信号（グラフ表示の履歴情報通知通信信号）に収容して前記所定の表示装置へ送信する。このグラフ表示モードでは、分析処理部２２４は、前記集計期間を前記サブ期間として前記第２分析処理を実行し、監視処理部２２２は、前記第２分析処理の実行で求めた所定の閾値以上変化している種類別の比較結果と、前記第２分析処理の実行で求めた所定の閾値以上変化していない種類別の比較結果とを互いに異なる表示態様で前記所定の表示装置に表示させて良い。この場合、個人履歴要求通信信号に収容された前記所定の期間は、分析処理部２２４で用いられる前記所定の第２期間として扱われる。
【００６５】
前記個人分析表示モードでは、個人分析要求通信信号が用いられる。この個人分析要求通信信号には、センサ装置ＳＵで検知されたイベントの個人分析を要求する指示（第２指示、第２命令、第２コマンド）、前記入力されて指定された複数の被監視者Ｏｂの各被監視者名（または前記複数の被監視者Ｏｂそれぞれを監視する各センサ装置ＳＵの各センサＩＤ）、前記入力されて指定された前記所定の期間等が収容され、端末装置ＳＰ、ＴＡから管理サーバ装置ＳＶへ送信される。この個人分析要求通信信号に収容される前記所定の被監視者Ｏｂの被監視者名は、複数であり、被監視者Ｏｂ全員を一括で指定されても良い。この場合、個人分析要求通信信号には、前記複数の被監視者名として、被監視者Ｏｂ全員を一括で指定したことを表す情報（全員一括指定情報）が収容される。
【００６６】
前記個人分析表示モードでは、監視処理部２２２は、被監視者Ｏｂごとに設けられた各欄（各行または各列）に、前記所定の期間内（前記所定の第２期間）における当該被監視者Ｏｂに対応するイベントを種類別に計数した種類別の各計数結果（各第１計数結果）を、イベントの種類順に並べた各棒グラフ（イベント別の各列または各行に各棒グラフ）で表示することで、履歴情報抽出処理部２２３の抽出結果に基づいて、前記所定の期間内におけるイベントを、前記被監視者Ｏｂに対応付けて種類別に、前記所定の表示装置に表示させる。より詳しくは、監視処理部２２２は、被監視者Ｏｂごとに設けられた各欄に、前記所定の期間内における前記被監視者Ｏｂに対応するイベントを種類別に計数した種類別の各計数結果を、イベントの種類順に並べた各棒グラフで表示する、所定のマークアップ言語で記述した画面データ（電子ファイル、個人分析表示画面の電子ファイル）を通信信号（分析情報通知通信信号）に収容して前記所定の表示装置へ送信する。この個人分析表示モードでは、分析処理部２２４は、複数の被監視者Ｏｂそれぞれについて、前記第２分析処理を実行し、監視処理部２２２は、前記第２分析処理の実行で求めた所定の閾値以上変化している種類別の比較結果と、前記第２分析処理の実行で求めた所定の閾値以上変化していない種類別の比較結果とを互いに異なる表示態様で前記所定の表示装置に表示させる。
【００６７】
時計部２２５は、年月日時分を計時するものである。
【００６８】
なお、管理サーバ装置ＳＶは、図４に破線で示すように、必要に応じて、さらに、ＳＶ制御処理部２２に接続され例えば各種コマンドや各種データ等を入力するサーバ側入力部（ＳＶ入力部）２４、ＳＶ入力部２４で入力された各種コマンドや各種データおよび被監視者Ｏｂに対する監視に関する監視情報等を出力するサーバ側出力部（ＳＶ出力部）２５、および、外部機器との間でデータの入出力を行うサーバ側インターフェース部（ＳＶＩＦ部）２６等を備えても良い。
【００６９】
このような管理サーバ装置ＳＶは、例えば、通信機能付きのコンピュータによって構成可能である。
【００７０】
固定端末装置ＳＰは、ネットワークＮＷを介して他の装置ＳＵ、ＳＶ、ＴＡと通信する通信機能、所定の情報を表示する表示機能、および、所定の指示やデータを入力する入力機能等を備え、管理サーバ装置ＳＶや携帯端末装置ＴＡに与える所定の指示やデータを入力したり、センサ装置ＳＵで得られた監視情報を表示したり等することによって、被監視者監視システムＭＳのユーザインターフェース（ＵＩ）として機能する機器である。固定端末装置ＳＰは、例えば、通信を行う通信インターフェース部、各種コマンドや各種データ等を入力する入力部、前記入力部で入力された各種コマンドや各種データおよび被監視者Ｏｂに対する監視に関する監視情報等を出力する出力部、外部機器との間でデータの入出力を行うインターフェース部、各種の所定のプログラムおよび各種の所定のデータを記憶する記憶部、ならびに、これら通信インターフェース部、入力部、出力部、インターフェース部および記憶部それぞれを当該機能に応じて制御する制御処理部等を備える。このような固定端末装置ＳＰは、例えば、通信機能付きのコンピュータによって構成可能である。
【００７１】
例えば監視者等のユーザは、例えば被監視者Ｏｂの入所時や被監視者Ｏｂにおける介護レベルの変化時等の適宜なタイミングで、前記被監視者Ｏｂに対する、イベントの通知の許否をイベントの種類別に固定端末装置ＳＰに入力する。この入力操作を受け付けると、固定端末装置ＳＰは、前記被監視者Ｏｂに対する、前記イベントの種類別に応じた前記イベントの通知の許否を管理サーバ装置ＳＶへ送信し、管理サーバ装置ＳＶに記憶させる。これによって被監視者Ｏｂに対する、センサ装置ＳＵで検知されたイベントの通知の許否が管理サーバ装置ＳＶに設定される。
【００７２】
また例えば、ユーザは、被監視者Ｏｂに対する、センサ装置ＳＵで検知されたイベントの個人履歴を所望する場合、前記ユーザは、センサ装置ＳＵで検知されたイベントの個人履歴を要求する第１指示、前記要求する個人履歴の対象者の被監視者名、前記要求する個人履歴の対象期間（前記所定の期間）、および、前記要求する個人履歴の表示モード等を固定端末装置ＳＰに入力する。この入力操作を受け付けると、固定端末装置ＳＰは、これらを収容した個人履歴要求通信信号を管理サーバ装置ＳＶへ送信し、その返信を受けると、その返信された情報を表示する。
【００７３】
また例えば、ユーザは、被監視者Ｏｂに対する、センサ装置ＳＵで検知されたイベントの個人分析を所望する場合、前記ユーザは、センサ装置ＳＵで検知されたイベントの個人分析を要求する第２指示、前記要求する個人分析の対象者の複数の被監視者名、および、前記要求する個人分析の対象期間（前記所定の期間）等を固定端末装置ＳＰに入力する。この入力操作を受け付けると、固定端末装置ＳＰは、これらを収容した個人分析要求通信信号を管理サーバ装置ＳＶへ送信し、その返信を受けると、その返信された情報を表示する。
【００７４】
携帯端末装置ＴＡは、ネットワークＮＷを介して他の装置ＳＶ、ＳＰ、ＳＵと通信する通信機能、所定の情報を表示する表示機能、所定の指示やデータを入力する入力機能、および、音声通話を行う通話機能等を備え、管理サーバ装置ＳＶやセンサ装置ＳＵに与える所定の指示やデータを入力したり、管理サーバ装置ＳＶからの通知によってセンサ装置ＳＵで得られた監視情報（動画を含む）を表示したり、センサ装置ＳＵとの間で音声通話によってナースコールの応答や声かけしたり等するための機器である。このような携帯端末装置ＴＡは、例えば、いわゆるタブレット型コンピュータやスマートフォンや携帯電話機等の、持ち運び可能な通信端末装置によって構成可能である。
【００７５】
次に、本実施形態の動作について説明する。図８は、図２に示す前記センサ装置の動作を示すフローチャートである。図９は、図４に示す前記管理サーバ装置の動作を示すフローチャートである。図１０は、図９に示すフローチャートにおける監視情報の処理を示すフローチャートである。図１１は、図１に示す携帯端末装置に表示される監視情報画面の一例を示す図である。図１２は、図９に示すフローチャートにおける個人履歴表示の処理を示すフローチャートである。図１３は、図１に示す固定端末装置に表示されるタイムチャートでの個人履歴表示画面の一例を示す図である。図１４は、図１に示す固定端末装置に表示されるグラフでの個人履歴表示画面の一例を示す図である。図１５は、図９に示すフローチャートにおける個人分析表示の処理を示すフローチャートである。図１６は、図１に示す固定端末装置に表示される個人分析表示画面の一例を示す図である。
【００７６】
上記構成の被監視者監視システムＭＳでは、各装置ＳＵ、ＳＶ、ＳＰ、ＴＡは、電源が投入されると、必要な各部の初期化を実行し、その稼働を始める。センサ装置ＳＵでは、その制御処理プログラムの実行によって、ＳＵ制御処理部１４には、ＳＵ制御部１４１、行動検知処理部１４２、呼吸異常判定部１４３、ナースコール処理部１４４およびストリーミング処理部１４５が機能的に構成される。管理サーバ装置ＳＶでは、その制御処理プログラムの実行によって、ＳＶ制御処理部２１には、ＳＶ制御部２１１、監視処理部２２２、履歴情報抽出処理部２２３、分析処理部２２４および時計部２２５が機能的に構成される。
【００７７】
まず、センサ装置ＳＵの動作について説明する。センサ装置ＳＵは、所定のサンプリング間隔で、例えば各フレームごとに、あるいは、数フレームおきに、次のように動作することで、被監視者Ｏｂにおける所定の動作を検知し、呼吸異常を検知し、ナースコールの受付の有無を判定している。
【００７８】
図８において、まず、センサ装置ＳＵは、ＳＵ制御処理部１４のＳＵ制御部１４１によって、センサ部１１の撮像部１１１から１フレーム分の画像（画像データ）を前記対象画像として取得する（Ｓ１０）。
【００７９】
次に、センサ装置ＳＵは、ＳＵ制御処理部１４の行動検知処理部１４２によって、被監視者Ｏｂにおける所定の行動を検知する行動検知処理を前記処理Ｓ１０で取得した対象画像に基づいて実行する（Ｓ１１）。より具体的には、行動検知処理部１４２は、入床の正否を判定し、起床の成否を判定し、離床の成否を判定し、そして、転倒の成否を判定する。
【００８０】
次に、センサ装置ＳＵは、行動検知処理部１４２によって、前記行動検知処理Ｓ１１で被監視者Ｏｂにおける所定の行動が検知されたか否かを判定する。この判定の結果、前記所定の行動が検知されていない場合（Ｎｏ）には、センサ装置ＳＵは、次に、処理Ｓ１４を実行し、一方、前記所定の行動が検知されている場合（Ｙｅｓ）には、センサ装置ＳＵは、次の処理Ｓ１３を実行した後に、処理Ｓ１４を実行する。
【００８１】
この処理Ｓ１３では、処理Ｓ１１および処理Ｓ１２で検知した所定の行動を管理サーバ装置ＳＶを介して所定の端末装置ＳＰ、ＴＡへ通知するために、センサ装置ＳＵは、行動検知処理部１４２によって、前記所定のイベントとして前記所定の行動の検知に関する第１イベント通知通信信号を管理サーバ装置ＳＶへ送信する。より具体的には、行動検知処理部１４２は、自機のセンサＩＤ、前記所定のイベント情報（ここでは、入床、起床、離床および転倒のうちの１または複数）および前記イベントに関わる対象画像を収容した第１イベント通知通信信号を、ＳＵ通信ＩＦ部１５を介して管理サーバ装置ＳＶへ送信する。
【００８２】
前記処理Ｓ１４では、センサ装置ＳＵは、ＳＵ制御処理部１４のＳＵ制御部１４１によって、センサ部１１の呼吸測定部１１２からその測定結果を取得し、ＳＵ記憶部１６に記憶する。ＳＵ記憶部１６には、被監視者Ｏｂの呼吸異常の検知に必要な、呼吸測定部１１２の測定結果が少なくとも記憶される。
【００８３】
次に、センサ装置ＳＵは、ＳＵ制御処理部１４の呼吸異常判定部１４３によって、被呼吸測定部１１２の測定結果に基づいて被監視者Ｏｂの呼吸異常を検知する呼吸異常検知処理を前記処理Ｓ１４で取得した呼吸測定部１１２の測定結果に基づいて実行する（Ｓ１５）。より具体的には、呼吸異常判定部１４３は、呼吸停止の成否を判定し、睡眠時無呼吸の成否を判定し、徐呼吸の成否を判定し、頻呼吸の成否を判定し、低呼吸の成否を判定し、過呼吸の成否を判定し、Ｋｕｓｓｍａｕｌの大呼吸の成否を判定し、そして、Ｃｈｅｙｎｅ−Ｓｔｏｋｅｓ呼吸の成否を判定する。
【００８４】
次に、センサ装置ＳＵは、呼吸異常判定部１４３によって、前記呼吸異常検知処理Ｓ１５で被監視者Ｏｂの呼吸異常が検知されたか否かを判定する。この判定の結果、前記呼吸異常が検知されていない場合（Ｎｏ）には、センサ装置ＳＵは、次に、処理Ｓ１８を実行し、一方、前記呼吸異常が検知されている場合（Ｙｅｓ）には、センサ装置ＳＵは、次の処理Ｓ１７を実行した後に、処理Ｓ１８を実行する。
【００８５】
この処理Ｓ１７では、処理Ｓ１４および処理Ｓ１５で検知した呼吸異常を管理サーバ装置ＳＶを介して所定の端末装置ＳＰ、ＴＡへ通知するために、センサ装置ＳＵは、呼吸異常判定部１４３によって、前記所定のイベントとして前記呼吸異常の検知に関する第１イベント通知通信信号を管理サーバ装置ＳＶへ送信する。より具体的には、呼吸異常判定部１４３は、自機のセンサＩＤ、前記所定のイベント情報（ここでは呼吸異常）および前記イベントに関わる対象画像を収容した第１イベント通知通信信号を、ＳＵ通信ＩＦ部１５を介して管理サーバ装置ＳＶへ送信する。
【００８６】
前記処理Ｓ１８では、センサ装置ＳＵは、ナースコール処理部１４４によって、ナースコールを受け付けているか否かを判定する。すなわち、図８に示す処理Ｓ１０ないし処理Ｓ１９は、前記所定のサンプリング間隔で繰り返し実行されるが、前回における処理Ｓ１８の実行から今般における処理Ｓ１８の実行までの間に、ナースコール受付操作部１３が操作されたか否かが判定される。この判定の結果、ナースコール受付操作部１３が操作されず、ナースコールを受け付けていない場合（Ｎｏ）には、センサ装置ＳＵは、今回の本処理を終了し、一方、ナースコール受付操作部１３が操作され、ナースコールを受け付けている場合（Ｙｅｓ）には、センサ装置ＳＵは、次の処理Ｓ１９を実行した後に、今回の本処理を終了する。
【００８７】
この処理Ｓ１９では、処理Ｓ１８でその受付が判明したナースコールを管理サーバ装置ＳＶを介して所定の端末装置ＳＰ、ＴＡへ通知するために、センサ装置ＳＵは、ナースコール処理部１４４によって、ナースコールに関する第１イベント通知通信信号を管理サーバ装置ＳＶへ送信する。より具体的には、ナースコール処理部１４４は、自機のセンサＩＤおよび前記所定のイベント情報（ここではナースコール）を収容した第１イベント通知通信信号を、ＳＵ通信ＩＦ部１５を介して管理サーバ装置ＳＶへ送信する。
【００８８】
被監視者Ｏｂにおける所定の行動の検知、呼吸異常の検知およびナースコールの受付の検知それぞれに関し、センサ装置ＳＵは、以上のように動作している。
【００８９】
次に、管理サーバ装置ＳＶの動作について説明する。一方、図９において、管理サーバ装置ＳＶは、ＳＶ制御処理部２２のＳＶ制御部２２１によって、ＳＶ通信ＩＦ部２１で通信信号を受信したか否かを判定する（Ｓ２１）。この判定の結果、通信信号を受信していない場合（Ｎｏ）には、管理サーバ装置ＳＶは、処理をＳ２１に戻し、前記判定の結果、通信信号を受信している場合（Ｙｅｓ）には、管理サーバ装置ＳＶは、次の処理Ｓ２２を実行する。すなわち、管理サーバ装置ＳＶは、通信信号の受信を待ち受けている。
【００９０】
処理Ｓ２２では、管理サーバ装置ＳＶは、ＳＶ制御部２２１によって、この受信した通信信号の種類を判定する。この判定の結果、管理サーバ装置ＳＶは、前記受信した通信信号が第１イベント通知通信信号である場合（第１イベント通知）には、処理Ｓ２３を実行した後に処理Ｓ２７を実行し、前記受信した通信信号が個人履歴要求通信信号である場合（個人履歴要求）には、処理Ｓ２４を実行した後に処理Ｓ２７を実行し、前記受信した通信信号が個人分析要求通信信号である場合（個人分析要求）には、処理Ｓ２５を実行した後に処理Ｓ２７を実行し、そして、前記受信した通信信号がこの第１イベント通知通信信号、個人履歴要求通信信号および個人分析要求通信信号のいずれでもではない場合（その他）には、処理Ｓ２６を実行した後に処理Ｓ２７を実行する。
【００９１】
処理Ｓ２３では、管理サーバ装置ＳＶは、ＳＶ制御処理部２２の監視処理部２２２によって、処理Ｓ２１でセンサ装置ＳＵから受信した第１イベント通知通信信号を処理する。
【００９２】
より具体的には、図１０において、まず、監視処理部２２２は、前記処理Ｓ２１で受信した第１イベント通知通信信号に収容された、被監視者Ｏｂに対する監視に関する監視情報を監視情報記憶部２３１に記憶（記録）する（Ｓ２３１）。より具体的には、監視処理部２２２は、監視情報記憶部２３１に記憶されている監視情報テーブルＭＴに新たなレコードを作成し、前記処理Ｓ２１で受信した第１イベント通知通信信号に収容されたセンサＩＤおよびイベント情報それぞれを、この新たなレコードにおけるセンサＩＤフィールド２３１１およびイベントフィールド２３１２それぞれに登録し、時計部２２５から年月日時分を取得し、この取得した年月日時分を、この新たなレコードの受信時刻フィールド２３１３に登録し、前記処理Ｓ２１で受信した第１イベント通知通信信号に対象画像が収容されている場合には、この対象画像（ここでは対象画像のファイル名）を、この新たなレコードの静止画フィールド２３１４に登録し、前記処理Ｓ２１で受信した第１イベント通知通信信号に収容されたセンサＩＤに対応する通信アドレスを、装置間情報記憶部２３２に記憶されている通信アドレス対応関係情報テーブルＤＴから検索し、この検索した通信アドレスを、この新たなレコードの動画フィールド２３１５に登録し、デフォルト値の通知フラグ「０」および対応フラグ「０」それぞれを、この新たなレコードにおける通知フィールド２３１６および対応フィールド２３１７それぞれに登録する。
【００９３】
次に、監視処理部２２２は、前記処理Ｓ２１で受信した第１イベント通知通信信号を、所定の端末装置ＳＰ、ＴＡへ第２イベント通知通信信号によって通知するか否かを判定する。より具体的には、監視処理部２２２は、装置間情報記憶部２３２に記憶されている通知先対応関係情報テーブルＡＴから、センサＩＤフィールド２３２１に、前記処理Ｓ２１で受信した第１イベント通知通信信号に収容されたセンサＩＤを登録するレコードを選定（検索）し、この選定したレコードであって、通知許否フィールド２３２２における、前記処理Ｓ２１で受信した第１イベント通知通信信号に収容されたイベント情報に対応するサブフィールド２３２２１〜２３２２６に登録されている通知許否フラグを取得する。例えば、前記処理Ｓ２１で受信した第１イベント通知通信信号が、センサＩＤとして「ＳＵ−１」を収容し、イベント情報として「離床」を収容している場合では、図６Ａに示す通知先対応関係情報テーブルＡＴから、通知許否フラグ「１」が取得される。この取得した通知許否フラグが「０」である場合には、監視処理部２２２は、前記処理Ｓ２１で受信した第１イベント通知通信信号を、所定の端末装置ＳＰ、ＴＡへ第２イベント通知通信信号によって通知しない場合（Ｎｏ）と判定し、次に、処理Ｓ２３３を実行した後に、本処理Ｓ２３を終了する。前記取得した通知許否フラグが「１」である場合には、監視処理部２２２は、前記処理Ｓ２１で受信した第１イベント通知通信信号を、所定の端末装置ＳＰ、ＴＡへ第２イベント通知通信信号によって通知する場合（Ｙｅｓ）と判定し、次に、処理Ｓ２３４、処理Ｓ２３５および処理Ｓ２３６を順次に実行した後に、本処理Ｓ２３を終了する。
【００９４】
この処理Ｓ２３３では、監視処理部２２２は、前記処理Ｓ２３１で監視情報テーブルＭＴに新たに生成したレコードにおける通知フィールド２３１６に、通知無しを意味する通知フラグ「０」を登録し、本処理Ｓ２３を終了する。なお、上述したように、通知フィールド２３１６には、デフォルト値として通知フラグ「０」が登録されるので、この処理Ｓ２３３は、省略されても良いが、この処理Ｓ２３３を実行することで、第１イベント通知通信信号に起因する第２イベント通知通信信号が通知されなかった事実が、確実に監視情報記憶部２３１に記録（記憶）される。
【００９５】
前記処理Ｓ２３４では、監視処理部２２２は、前記処理Ｓ２１で受信した第１イベント通知通信信号を送信したセンサ装置ＳＵに対応する通知先（再通知先、転送先、送信先）を装置間情報記憶部２３２に記憶された前記通知先対応関係から選定し取得する。より具体的には、監視処理部２２２は、装置間情報記憶部２３２に記憶されている通知先対応関係情報テーブルＡＴから、センサＩＤフィールド２３２１に、前記処理Ｓ２１で受信した第１イベント通知通信信号に収容されたセンサＩＤを登録するレコードを選定（検索）し、この選定したレコードにおける通知先フィールド２３２３に登録されている端末ＩＤを取得する。そして、監視処理部２２２は、装置間情報記憶部２３２に記憶されている通信アドレス対応関係情報テーブルＤＴから、ＩＤフィールド２３２５に、前記取得した端末ＩＤを登録するレコードを選定（検索）し、この選定したレコードにおける通信アドレスフィールド２３２６に登録されている通信アドレスを取得する。
【００９６】
この処理Ｓ２３４の次に、処理Ｓ２３５では、監視処理部２２２は、前記処理Ｓ２３４で取得した通知先宛に、前記処理Ｓ２１で受信した第１イベント通知通信信号に対応する第２イベント通知通信信号を生成し、この生成した第２イベント通知通信信号を送信する。
【００９７】
そして、この処理Ｓ２３５の次に、処理Ｓ２３６では、監視処理部２２２は、前記処理Ｓ２３１で監視情報テーブルＭＴに新たに生成したレコードにおける通知フィールド２３１６に、通知有りを意味する通知フラグ「１」を登録し、本処理Ｓ２３を終了する。
【００９８】
このように処理Ｓ２１でセンサ装置ＳＵから受信した第１イベント通知通信信号が処理される。
【００９９】
ここで、上述の処理Ｓ２３５で送信された第２イベント通知通信信号を受信した端末装置ＳＰ、ＴＡは、この受信した第２イベント通知通信信号に収容された各情報に応じた画面を表示する。例えば、前記所定の行動に関する第２イベント通知通信信号が受信された場合には、端末装置ＳＰ、ＴＡは、前記所定の行動に関する各情報を表示するための監視情報画面５２を表示する。
【０１００】
この監視情報画面５２は、例えば、図１１に示すように、メニューバーを表示するメニューバー領域５１１と、前記受信した第２イベント通知通信信号に収容されたセンサＩＤを持つセンサ装置ＳＵの配設場所および前記センサＩＤを持つ前記センサ装置ＳＵによって監視される被監視者Ｏｂの名前を表示する被監視者名領域５２１と、前記受信した第２イベント通知通信信号の受信時刻（または前記所定の行動の検知時刻）からの経過時間、および、前記受信した第２イベント通知通信信号に収容された前記イベント情報（前記所定の行動の検知結果）を表示する検知情報表示領域５２２と、前記受信した第２イベント通知通信信号に収容された画像（すなわち、前記センサＩＤを持つ前記センサ装置ＳＵによって撮像された対象画像）（ここでは静止画）を表示する画像領域５２３と、「対応する」ボタン５２４と、「話す」ボタン５２５と、「ＬＩＶＥを見る」ボタン５２６とを備える。
【０１０１】
被監視者名領域５２１に、センサ装置ＳＵの配設場所および被監視者Ｏｂの名前を表示するために、端末装置ＳＰ、ＴＡには、センサＩＤ、前記センサＩＤを持つセンサ装置ＳＵの配設場所および前記センサＩＤを持つ前記センサ装置ＳＵによって監視される被監視者Ｏｂの名前が互いに対応付けられて予め記憶される。検知情報表示領域５２２には、前記受信した第２イベント通知通信信号に収容された前記検知結果（本実施形態では、入床、起床、離床、転倒、および、呼吸異常の各名称）がそのまま表示されても良いが、本実施形態では、前記検知結果を象徴的に表すアイコンで表示されている。このアイコンで表示するために、端末装置ＳＰ、ＴＡには、各行動およびその行動を象徴的に表すアイコンが互いに対応付けられて予め記憶される。図１１に示す例では、検知情報表示領域５２２には、起床を象徴的に表す起床アイコンが表示されている。「対応する」ボタン５２４は、監視情報画面５２では、この監視情報画面５２に表示された検知結果に対し例えば救命、看護、介護および介助等の所定の対応（対処、処置、措置）を実施する意思が当該端末装置ＳＰ、ＴＡのユーザにある旨を表す実施意思情報を、当該端末装置ＳＰ、ＴＡに入力するためのボタンである。「話す」ボタン５２５は、音声通話を要求するためのボタンであって、前記センサＩＤの前記センサ装置ＳＵと当該端末装置ＳＰ、ＴＡとをネットワークＮＷを介して通話可能に接続する指示を入力するためのボタンである。「ＬＩＶＥを見る」ボタン５２６は、ライブでの動画を要求するためのボタンであって、前記センサＩＤの前記センサ装置ＳＵによって撮像される動画を表示させる指示を入力するためのボタンである。
【０１０２】
図９に戻って、処理Ｓ２４では、管理サーバ装置ＳＶは、ＳＶ制御処理部２２によって、処理Ｓ２１で端末装置ＳＰ、ＴＡから受信した個人履歴要求通信信号を処理する。
【０１０３】
より具体的には、図１２において、まず、ＳＶ制御処理部２２は、履歴情報抽出処理部２２３によって、前記処理２１で受信した個人履歴要求通信信号で指定された被監視者Ｏｂについて、前記個人履歴要求通信信号で指定された前記所定の期間内の監視情報を、監視情報記憶部３２１から収集する（Ｓ２４１）。より詳しくは、履歴情報抽出処理部２２３は、センサ情報記憶部２３３に記憶されているセンサ情報から、前記処理Ｓ２１で受信した個人履歴要求通信信号に収容されている被監視者Ｏｂの被監視者名に対応するセンサＩＤを検索する。なお、前記個人履歴要求通信信号に、被監視者Ｏｂの被監視者名に代え、あるいは、追加してセンサＩＤが収容されている場合には、この処理は、省略できる。そして、履歴情報抽出処理部２２３は、監視情報記憶部２３１に記憶されている監視情報から、前記個人履歴要求通信信号に収容されている前記所定の期間内であって、前記検索したセンサＩＤに対応するイベント（検知結果）、その受信時刻および通知の有無を検索し、抽出する。そして、履歴情報抽出処理部２２３は、前記個人履歴要求通信信号に収容されている被監視者Ｏｂの被監視者名および前記所定の期間、ならびに、これら抽出した１組または複数組のイベント（検知結果）、その受信時刻および通知の有無を監視処理部２２２へ出力する。
【０１０４】
次に、ＳＶ制御処理部２２は、監視処理部２２２によって、前記処理Ｓ２１で受信した個人履歴要求通信信号に収容されている表示モードを判定する（Ｓ２４２）。この判定の結果、表示モードがタイムチャート表示モードである場合（タイムチャート表示（生活リズム））には、監視処理部２２２は、次に、処理Ｓ２４３、処理Ｓ２４４、処理Ｓ２４５および処理Ｓ２４６の各処理を順次に実行した後に、本処理Ｓ２４を終了する。一方、前記判定の結果、表示モードがグラフ表示モードである場合（グラフ表示）には、監視処理部２２２は、次に、処理Ｓ２４７、処理Ｓ２４８および処理Ｓ２４９の各処理を順次に実行した後に、本処理Ｓ２４を終了する。
【０１０５】
この処理Ｓ２４３では、ＳＶ制御処理部２２は、分析処理部２２４によって、処理Ｓ２４１での履歴情報抽出処理部２２３の抽出結果に基づいて、入床から離床までの時間を臥床時間として求める。より具体的には、分析処理部２２４は、処理Ｓ２４１で収集された監視情報から、受信時刻を参照することによって時系列に互いに順次に隣接して並ぶ入床および離床の組を全て取り出し、各組それぞれについて、離床の受信時刻から入床の受信時間を減算することで各組の各臥床時間を求める（（臥床時間）＝（離床の受信時刻）−（入床の受信時刻））。
【０１０６】
前記処理Ｓ２４３の次に、処理Ｓ２４４では、ＳＶ制御処理部２２は、分析処理部２２４によって、処理Ｓ２４３で求めた時系列に並ぶ各組の臥床時間の中から、所定の第１時刻（例えば２０時）以降の最初の入床から翌日の所定の第２時刻（例えば５時）以降の最初の離床までの時間を睡眠時間（夜間睡眠時間）として求め、この求めた睡眠時間を除いた残余の臥床時間を日中睡眠時間として求める。なお、前記所定の第１時刻以降の最初の入床から翌日の所定の第２時刻以降の最初の離床までの間に、さらに、１または複数の離床および入床が検知されている場合には、前記所定の第１時刻以降の最初の入床から翌日の所定の第２時刻以降の最初の離床までの間における各臥床時間が合算され、前記睡眠時間（夜間睡眠時間）とされる。
【０１０７】
前記処理Ｓ２４４の次に、処理Ｓ２４５では、ＳＶ制御処理部２２は、監視処理部２２２によって、前記処理Ｓ２４１による履歴情報抽出処理部２２３の抽出結果、および、前記処理Ｓ２４３と前記処理Ｓ２４４とによる分析処理部２２４の分析結果に基づいて、タイムチャート個人履歴表示画面の画面データ（電子ファイル）を生成する。より具体的には、ＳＶ制御処理部２２は、前記抽出結果および前記分析結果に基づいて、被監視者Ｏｂに対応して設けられ、前記所定の期間に応じた時間軸上に、前記イベントの種類を表した所定のマークを、前記イベントの受信時刻で、表示し、前記所定のマークを前記イベントの通知の有無に応じて互いに異なる表示態様で表示し、そして、夜間睡眠時間と日中睡眠時間とを互いに異なる表示態様のバーで表示する、所定のマークアップ言語で記述したタイムチャート個人履歴表示画面の画面データ（電子ファイル）を生成する。
【０１０８】
より詳しくは、このタイムチャート個人履歴表示画面６１は、例えば、端末装置ＳＰ、ＴＡ（ここでは固定端末装置ＳＰ）に表示された場合に、図１３に示すように、メニュー領域６１１と、被監視者メニュー領域６１２ａと、被監視者名表示領域６１２ｂと、モードメニュー領域６１３と、期間入力領域６１４と、期間長メニュー領域６１５と、個別履歴分析メニュー領域６１６と、凡例表示領域６１７と、タイムチャート個人履歴表示領域６１８と、「送信」ボタン６１０とを備える。
【０１０９】
メニュー領域６１１は、選択可能な１または複数のメニューボタンを表示する領域であり、前記１または複数のメニューボタンには、「個人履歴」ボタン６１１１が含まれる。「個人履歴」ボタン６１１１は、所定期間内におけるイベントを、被監視者Ｏｂに対応付けて種類別に表示する指示を入力するためのボタンである。「個人履歴」ボタン６１１１の入力操作を受け付けると、端末装置ＳＰ、ＴＡは、前回表示した表示モードの画面、本実施形態では図１３に示すタイムチャート個人履歴表示画面６１、または、後述の図１４に示すグラフ個人履歴表示画面６２、または、後述の図１６に示す個人分析表示画面６３を表示する。
【０１１０】
被監視者メニュー領域６１２ａは、選択可能な１または複数の被監視者Ｏｂを一覧で表示する領域である。図１３に示す例では、被監視者メニュー領域６１２ａには、被監視者Ｏｂの入居する部屋名（例えば部屋番号等、また言い換えれば、前記被監視者Ｏｂに対応して設けられたセンサ装置ＳＵの配設場所）と被監視者名とのセット（組）が、上から下へ順に所定の基準でソートされて一覧で表示される。ソートの基準は、任意であり、例えば、被監視者名の５０音順（アルファベット順）や、部屋番号順等である。図１３に示す例では、被監視者名および部屋名の各セットは、部屋番号順でソートされている。そして、この被監視者名および部屋名の各セットを表示する個々の領域は、監視者（ユーザ）によって選択された被監視者Ｏｂを、当該端末装置ＳＰ、ＴＡに入力するためのボタン（被監視者選択ボタン）でもある。さらに、本実施形態では、被監視者メニュー領域６１２ａは、選択可能な１または複数の被監視者Ｏｂ全員を一括で選択し、この選択された被監視者Ｏｂ全員を、当該端末装置ＳＰ、ＴＡに入力するための「全員一括」ボタンを含む。
【０１１１】
被監視者名表示領域６１２ｂは、前記被監視者メニュー領域６１２ａで選択され、当該画面６１、６２、６３に表示される情報に対応する被監視者Ｏｂの氏名（全員一括を含む）を表示する領域である。
【０１１２】
モードメニュー領域６１３は、選択可能な複数のモードボタンを表示する領域であり、図１３に示す例では、グラフ表示モードを指定する指示を入力するための「グラフ」ボタン６１３１と、タイムチャート表示モードを指定する指示を入力するための「生活リズム」ボタン６１３２とを備える。
【０１１３】
期間入力領域６１４は、前記所定の期間を入力するための領域であり、図１３に示す例では、前記所定の期間を年月日で直接的に入力するための年月日入力領域６１４１と、年月日入力領域６１４１に表示された年月日を１日ごとに時間的に後退させる年月日後退ボタン６１４２と、年月日入力領域６１４１に表示された年月日を１日ごとに時間的に前進させる年月日前進ボタン６１４３とを備える。
【０１１４】
期間長メニュー領域６１５は、期間入力領域６１４で入力される前記所定の期間における期間長を入力するための領域であり、図１３に示す例では、前記期間長を１日に設定して入力するための「１日」ボタン６１５１と、前記期間長を１週間に設定して入力するための「１週間」ボタン６１５２と、前記期間長を１ケ月に設定して入力するための「１ケ月」ボタン６１５３と、前記期間長を３ケ月週間に設定して入力するための「３ケ月」ボタン６１５４とを備える。
【０１１５】
個別履歴分析メニュー領域６１６は、選択可能な複数の表示モードボタンを表示する領域であり、図１３に示す例では、個人履歴表示モードを指定する指示を入力するための「個人履歴」ボタン６１６１と、個人分析表示モードを指定する指示を入力するための「個人分析」ボタン６１６２とを備える。
【０１１６】
凡例表示領域６１７は、タイムチャート個人履歴表示領域６１８に表示される、イベントの種類を表した所定のマークの凡例を表示する領域である。前記所定のマークは、図１３に示す例では、センサ装置ＳＵによって検知され通知された入床を表す第１マークと、センサ装置ＳＵによって検知され通知された起床および離床を表す第２マークと、センサ装置ＳＵによって検知され通知された転倒を表す第３マークと、センサ装置ＳＵによって検知され通知された呼吸異常を表す第４マークと、センサ装置ＳＵによって検知され通知されたナースコールを表す第５マークとを備える。
【０１１７】
タイムチャート個人履歴表示領域６１８は、前記所定の期間内におけるイベントを、被監視者Ｏｂに対応付けて種類別に表示する領域であって、タイムチャート個人履歴表示画面６１では、センサ装置ＳＵで検知されたイベントの検知履歴を日別にタイムチャートで表示する領域である。より具体的には、イベントの種類を表した前記所定のマーク（図１３に示す例では第１ないし第５マーク）が、前記所定の期間に応じた時間軸上に、前記イベントの受信時刻で、表示され、前記所定のマークが、前記イベントの通知の有無に応じて互いに異なる表示態様で表示され、そして、夜間睡眠時間と日中睡眠時間とが、互いに異なる表示態様で表示される。図１３に示す例では、１週間分の個人履歴をタイムチャートで表示するために、タイムチャート個人履歴表示領域６１８は、上から下へ順に並ぶ各行に、第１ないし第７日目の各時間軸を表示する７個の第１ないし第７時間軸領域６１８１〜６１８７を備える。これら第１ないし第７時間軸領域６１８１〜６１８７の各時間軸上には、センサ装置ＳＵで検知されたイベントに応じた所定のマークが、その受信時刻で表示される。例えば、第１時間軸領域６１８１の時間軸上には、０時から２４時に至る間に、順に、１個の呼吸異常の第４マーク、４個の起床および離床の第２マーク、４個のナースコールの第５マーク、２個の起床および離床の第２マーク、３個のナースコールの第５マーク、１個の入床の第１マーク、および、１個の呼吸異常の第４マークが表示されている。これら１６の各マークは、そのイベントの通知有りを表す実線の輪郭線で表示されている。なお、イベントの通知無しは、破線の輪郭線で表示される。そして、夜間睡眠時間と日中睡眠時間とは、これら第１ないし第７時間軸領域６１８１〜６１８７の各時間軸上に、バー（矩形）で表示され、夜間睡眠時間は、左上から右下へ向かう複数の左斜線でハッチングされたバー６１９１で表示され、日中睡眠時間は、右上から左下へ向かう複数の右斜線でハッチングされたバー６１９２で表示されている。なお、表示すべき日数がタイムチャート個人履歴表示領域６１８に表示可能な日数を超える場合には、タイムチャート個人履歴表示領域６１８は、上下にスクロールできるようになっている。
【０１１８】
「送信」ボタン６１０は、タイムチャート個人履歴表示画面６１で入力された各入力内容を端末装置ＳＰ、ＴＡから管理サーバ装置ＳＶへ送信し、これに応じて管理サーバ装置ＳＶから返信された内容でタイムチャート個人履歴表示画面６１を更新する指示を入力するためのボタンである。「送信」ボタン６１０の入力操作を受け付けると、端末装置ＳＰ、ＴＡは、「個人履歴」ボタン６１６１が入力され、そして、「生活リズム」ボタン６１３２が入力されている場合、センサ装置ＳＵで検知されたイベントの個人履歴を要求する前記第１指示、被監視者メニュー領域６１２ａで入力され指定された被監視者Ｏｂの被監視者名（図１３に示す例では「Ｋ山Ｍ太」）、期間入力領域６１４および期間長メニュー領域６１５で入力され指定された期間（前記所定の期間）（図１３に示す例では２０１５年１１月１日〜７日の７日）、および、タイムチャート表示モード等を収容する個人履歴要求通信信号を管理サーバ装置ＳＶへ送信する。
【０１１９】
この個人履歴要求通信信号を受信すると、管理サーバ装置ＳＶは、上述の処理Ｓ２１、処理Ｓ２２および処理Ｓ２４を順次に実行し、この処理Ｓ２４では、上述の処理Ｓ２４１、処理Ｓ２４２、処理Ｓ２４３、処理Ｓ２４４および処理Ｓ２４５を実行する。そして、この処理Ｓ２４５では、監視処理部２２２は、前記処理Ｓ２４１による履歴情報抽出処理部２２３の抽出結果、および、前記処理Ｓ２４３と前記処理Ｓ２４４とによる分析処理部２２４の分析結果に基づいて、上述した図１３に示すタイムチャート個人履歴表示画面６１の電子ファイルを所定のマークアップ言語を用いて生成する。
【０１２０】
そして、図１２に戻って、処理Ｓ２４５の次に、処理Ｓ２４６では、制御処理部２２は、監視処理部２２２によって、この処理Ｓ２４５で生成したタイムチャート個人履歴表示画面６１の電子ファイルを収容したタイムチャート表示モードの履歴情報通知通信信号を端末装置ＳＰ、ＴＡ（ここでは固定端末装置ＳＰ）へ返信し、本処理Ｓ２４を終了する。このタイムチャート表示モードの履歴情報通知通信信号を受信すると、端末装置ＳＰ、ＴＡ（ここでは固定端末装置ＳＰ）は、この受信したタイムチャート表示モードの履歴情報通知通信信号に収容されたタイムチャート個人履歴表示画面６１の電子ファイルを用いてタイムチャート個人履歴表示画面６１を表示（更新）する。
【０１２１】
一方、前記処理Ｓ２４７では、制御処理部２２は、分析処理部２２４によって、前記処理Ｓ２４１による履歴情報抽出処理部２２３の抽出結果に基づいて、分析対象である所定の第２期間内における、所定の被監視者Ｏｂに対応するイベントを種類別に計数することで第１計数結果を求め、前記第２期間よりも以前の所定の第３期間内における、前記所定の被監視者Ｏｂに対応するイベントを種類別に計数して前記第２期間長に応じた平均値で第２計数結果を求め、前記第１計数結果と前記第２計数結果とを種類別に比較し、所定の閾値以上変化している種類別の比較結果を求める第２分析処理を実行する。より具体的には、分析処理部２２４は、前記処理Ｓ２４１による履歴情報抽出処理部２２３の抽出結果に基づいて、前記処理Ｓ２１で受信した個人履歴要求通信信号に収容された前記所定の期間を前記所定の第２期間とし、前記所定の第２期間における複数のサブ期間、ここではデフォルト値の１日ごとに、イベントを種類別に計数することによって、前記複数のサブ期間ごと（日ごと）の各第１計数結果を求める。次に、分析処理部２２４は、前記所定の第２期間よりも以前の前記所定の第３期間、ここではデフォルト値の１週間分における、前記所定の被監視者Ｏｂに対応するイベントを種類別に計数した計数結果から、１日当たりの平均値を求めることによって第２計数結果を求める。そして、分析処理部２２４は、前記所定の第２期間における複数のサブ期間、ここではデフォルト値の１日ごとに、前記第１計数結果と前記第２計数結果とを種類別に比較し、所定の閾値以上変化している種類別の比較結果を求める。
【０１２２】
前記処理Ｓ２４７の次に、処理Ｓ２４８では、ＳＶ制御処理部２２は、監視処理部２２２によって、前記処理Ｓ２４１による履歴情報抽出処理部２２３の抽出結果、および、前記処理Ｓ２４７による分析処理部２２４のその分析結果に基づいて、グラフ個人履歴表示画面の画面データ（電子ファイル）を生成する。より具体的には、ＳＶ制御処理部２２は、前記抽出結果および前記分析結果に基づいて、被監視者Ｏｂに対応して設けられ、前記所定の第２期間に応じてサブ期間ごとに設けられた各欄に、前記所定の第２期間内における前記被監視者Ｏｂに対応するイベントを前記サブ期間ごとに種類別に計数した種類別の各第２計数結果を、イベントの種類順に並べた各棒グラフで表示し、前記分析結果に基づく所定の閾値以上変化している種類別の比較結果と、前記分析結果に基づく所定の閾値以上変化していない種類別の比較結果とを互いに異なる表示態様で表示する、所定のマークアップ言語で記述したグラフ個人履歴表示画面の画面データ（電子ファイル）を生成する。
【０１２３】
より詳しくは、このグラフ個人履歴表示画面６２は、例えば、端末装置ＳＰ、ＴＡ（ここでは固定端末装置ＳＰ）に表示された場合に、図１４に示すように、メニュー領域６１１と、被監視者メニュー領域６１２ａと、被監視者名表示領域６１２ｂと、モードメニュー領域６１３と、期間入力領域６１４と、期間長メニュー領域６１５と、個別履歴分析メニュー領域６１６と、グラフ個人履歴表示領域６２１（６２１ａ、６２１ｂ）と、「送信」ボタン６１０とを備える。これらグラフ個人履歴表示画面６２におけるメニュー領域６１１、被監視者メニュー領域６１２ａ、被監視者名表示領域６１２ｂ、モードメニュー領域６１３、期間入力領域６１４、期間長メニュー領域６１５、個別履歴分析メニュー領域６１６、および、「送信」ボタン６１０は、それぞれ、タイムチャート個人履歴表示画面６１におけるメニュー領域６１１、被監視者メニュー領域６１２ａ、被監視者名表示領域６１２ｂ、モードメニュー領域６１３、期間入力領域６１４、期間長メニュー領域６１５、個別履歴分析メニュー領域６１６、および、「送信」ボタン６１０と同様であるので、その説明を省略する。
【０１２４】
グラフ個人履歴表示領域６２１（６２１ａ、６２１ｂ）は、前記所定の第２期間内におけるイベントを、被監視者Ｏｂに対応付けて種類別に表示する領域であって、グラフ個人履歴表示画面６２では、センサ装置ＳＵで検知されたイベントを集計期間のサブ期間別、かつ、イベントの種類別に集計して表示する領域である。より具体的には、前記所定の第２期間内における前記被監視者Ｏｂに対応するイベントを前記サブ期間ごとに種類別に計数した種類別の各第２計数結果が、前記所定の第２期間に応じてサブ期間ごとに設けられた各欄に、イベントの種類順に並べた各棒グラフで表示され、前記分析結果に基づく所定の閾値以上変化している種類別の比較結果と、前記分析結果に基づく所定の閾値以上変化していない種類別の比較結果とが、互いに異なる表示態様で表示される。図１４に示す例では、１週間分の日ごとの各計数結果を表示するために、グラフ個人履歴表示領域６２１は、上から下へ順に並ぶ各行に、第１ないし第７日目の第１ないし第７グラフ表示領域６２１ａ１〜６２１ａ７を備える。そして、１日分の種類別の各計数結果を棒グラフで表示するために、これら第１ないし第７グラフ表示領域６２１ａ１〜６２１ａ７は、それぞれ、さらに、イベントの種類数に応じたサブグラフ領域６２１ｂを備える。本実施形態では、サブグラフ領域６２１ｂは、１日分の入床の計数結果を棒グラフで表示する入床サブグラフ領域６２１ｂ１と、１日分の起床の計数結果を棒グラフで表示する起床サブグラフ領域６２１ｂ２と、１日分の離床の計数結果を棒グラフで表示する離床サブグラフ領域６２１ｂ３と、１日分の転倒の計数結果を棒グラフで表示する転倒サブグラフ領域６２１ｂ４と、１日分の呼吸異常の計数結果を棒グラフで表示する呼吸異常サブグラフ領域６２１ｂ５と、１日分のナースコールの計数結果を棒グラフで表示するナースコールサブグラフ領域６２１ｂ６とを備える。例えば、第１日目の第１グラフ表示領域６２１ａ１における、入床サブグラフ領域６２１ｂ１、起床サブグラフ領域６２１ｂ２、離床サブグラフ領域６２１ｂ３、転倒サブグラフ領域６２１ｂ４、呼吸異常サブグラフ領域６２１ｂ５、およびナースコールサブグラフ領域６２１ｂ６それぞれには、１回を表す棒グラフ、５回を表す棒グラフ、３回を表す棒グラフ、２回を表す棒グラフ、３回を表す棒グラフ、および、３回を表す棒グラフそれぞれが表示されている。そして、グラフ個人履歴表示領域６２１に表示される棒グラフは、前記分析結果に基づく所定の閾値以上変化している種類別の比較結果と、前記分析結果に基づく所定の閾値以上変化していない種類別の比較結果とで互いに異なる表示態様で表示される。例えば、前記種類別の比較結果が前記所定の閾値以上変化している場合には、前記棒グラフは、複数の点のハッチングで表示され、前記種類別の比較結果が前記所定の閾値以上変化していない場合には、前記棒グラフは、白抜きで表示される。図１４に示す例では、第６日目の第６グラフ表示領域６２１ａ６における起床サブグラフ領域６２１ｂ２および離床サブグラフ領域６２１ｂ３それぞれに表示される各棒グラフと、第７日目の第７グラフ表示領域６２１ａ７における起床サブグラフ領域６２１ｂ２および離床サブグラフ領域６２１ｂ３それぞれに表示される各棒グラフとが、複数の点でハッチングされており、これにより、前記種類別の比較結果が前記所定の閾値以上変化していることが表示されている。なお、表示すべき日数がグラフ個人履歴表示領域６２１（６２１ａ、６２１ｂ）に表示可能な日数を超える場合には、グラフ個人履歴表示領域６２１（６２１ａ、６２１ｂ）は、上下にスクロールできるようになっている。
【０１２５】
例えば、図１３に示すタイムチャート個人履歴表示画面６１において、あるいは、図１４に示すグラフ個人履歴表示画面６２において、監視者（ユーザ）が、「個人履歴」ボタン６１６１を入力操作し、「グラフ」ボタン６１３１を入力操作し、被監視者メニュー領域６１２ａを入力操作し、期間入力領域６１４および期間長メニュー領域６１５それぞれを入力操作し、そして、「送信」ボタン６１０を入力操作すると、端末装置ＳＰ、ＴＡ（ここでは固定端末装置ＳＰ）は、センサ装置ＳＵで検知されたイベントの個人履歴を要求する前記第１指示、被監視者メニュー領域６１２ａで入力され指定された被監視者Ｏｂの被監視者名（図１４に示す例では「Ｋ山Ｍ太」）、期間入力領域６１４および期間長メニュー領域６１５で入力され指定された期間（前記所定の期間、言い換えれば、ここでは前記所定の第２期間）（図１４に示す例では２０１５年１１月１日〜７日の７日）、および、グラフ表示モード等を収容する個人履歴要求通信信号を管理サーバ装置ＳＶへ送信する。
【０１２６】
この個人履歴要求通信信号を受信すると、管理サーバ装置ＳＶは、上述の処理Ｓ２１、処理Ｓ２２および処理Ｓ２４を順次に実行し、この処理Ｓ２４では、上述の処理Ｓ２４１、処理Ｓ２４２、処理Ｓ２４７および処理Ｓ２４８を実行する。そして、この処理Ｓ２４８では、監視処理部２２２は、前記処理Ｓ２４１による履歴情報抽出処理部２２３の抽出結果、および、前記処理Ｓ２４７による分析処理部２２４のその分析結果に基づいて、上述した図１４に示すグラフ個人履歴表示画面６２の電子ファイルを所定のマークアップ言語を用いて生成する。
【０１２７】
そして、図１２に戻って、処理Ｓ２４８の次に、処理Ｓ２４９では、制御処理部２２は、監視処理部２２２によって、この処理Ｓ２４８で生成したグラフ個人履歴表示画面６２の電子ファイルを収容したグラフ表示モードの履歴情報通知通信信号を端末装置ＳＰ、ＴＡ（ここでは固定端末装置ＳＰ）へ返信し、本処理Ｓ２４を終了する。このグラフ表示モードの履歴情報通知通信信号を受信すると、端末装置ＳＰ、ＴＡ（ここでは固定端末装置ＳＰ）は、この受信したグラフ表示モードの履歴情報通知通信信号に収容されたグラフ個人履歴表示画面６２の電子ファイルを用いてグラフ個人履歴表示画面６２を表示（更新）する。
【０１２８】
処理Ｓ２４において、処理Ｓ２１で端末装置ＳＰ、ＴＡから受信された個人履歴要求通信信号が管理サーバ装置ＳＶによって処理される。
【０１２９】
図９に戻って、処理Ｓ２５では、管理サーバ装置ＳＶは、ＳＶ制御処理部２２によって、処理Ｓ２１で端末装置ＳＰ、ＴＡから受信した個人分析要求通信信号を処理する。
【０１３０】
より具体的には、図１５において、まず、ＳＶ制御処理部２２は、履歴情報抽出処理部２２３によって、前記処理２１で受信した個人分析要求通信信号で指定された複数の被監視者Ｏｂについて、個人分析要求通信信号で指定された所定の期間内の監視情報を、監視情報記憶部３２１から収集する（Ｓ２５１）。より詳しくは、履歴情報抽出処理部２２３は、センサ情報記憶部２３３に記憶されているセンサ情報から、前記処理Ｓ２１で受信した個人分析通信信号に収容されている複数の被監視者Ｏｂそれぞれの各被監視者名それぞれに対応する各センサＩＤを検索する。なお、前記個人分析要求通信信号に、被監視者Ｏｂの被監視者名に代え、あるいは、追加してセンサＩＤが収容されている場合には、この処理は、省略できる。また、被監視者Ｏｂ全員を一括で指定されている場合も、この処理は、省略できる。そして、履歴情報抽出処理部２２３は、前記検索した各センサＩＤそれぞれについて、監視情報記憶部２３１に記憶されている監視情報から、前記個人分析要求通信信号に収容されている前記所定の期間内に対応するイベント（検知結果）を検索し、抽出する。そして、履歴情報抽出処理部２２３は、前記個人分析要求通信信号に収容されている複数の被監視者Ｏｂそれぞれの各被監視者名および前記所定の期間、ならびに、これら抽出した、前記複数の被監視者Ｏｂそれぞれに対応する複数のイベント（検知結果）を監視処理部２２２へ出力する。
【０１３１】
次に、制御処理部２２は、分析処理部２２４によって、前記個人分析要求通信信号に収容されている複数の被監視者Ｏｂそれぞれについて、前記処理Ｓ２５１による履歴情報抽出処理部２２３の抽出結果に基づいて、前記第２分析処理を実行する（Ｓ２５２）。より具体的には、分析処理部２２４は、前記個人分析要求通信信号に収容されている前記所定の期間を前記所定の第２期間とし、前記個人分析要求通信信号に収容されている複数の被監視者Ｏｂそれぞれについて、前記処理Ｓ２４１による履歴情報抽出処理部２２３の抽出結果に基づいて、前記第２期間におけるイベントを種類別に計数することによって、第１計数結果を求める。次に、分析処理部２２４は、前記個人分析要求通信信号に収容されている複数の被監視者Ｏｂそれぞれについて、前記第２期間よりも以前の前記所定の第３期間、ここではデフォルト値の１週間分における、当該被監視者Ｏｂに対応するイベントを種類別に計数した計数結果から、第２期間当たりの平均値を求めることによって第２計数結果を求める。そして、分析処理部２２４は、前記個人分析要求通信信号に収容されている複数の被監視者Ｏｂそれぞれについて、前記第１計数結果と前記第２計数結果とを種類別に比較し、所定の閾値以上変化している種類別の比較結果を求める。
【０１３２】
次に、ＳＶ制御処理部２２は、監視処理部２２２によって、前記処理Ｓ２５１による履歴情報抽出処理部２２３の抽出結果、および、前記処理Ｓ２５２による分析処理部２２４のその分析結果に基づいて、個人分析表示画面の画面データ（電子ファイル）を生成する。より具体的には、ＳＶ制御処理部２２は、前記抽出結果および前記分析結果に基づいて、被監視者Ｏｂごとに設けられた各欄（各行または各列）に、前記所定の期間内（前記所定の第２期間）における当該被監視者Ｏｂに対応するイベントを種類別に計数した種類別の各計数結果（各第１計数結果）を、イベントの種類順に並べた各棒グラフ（イベント別の各列または各行に各棒グラフ）で表示し、前記分析結果に基づく所定の閾値以上変化している種類別の比較結果と、前記分析結果に基づく所定の閾値以上変化していない種類別の比較結果とを互いに異なる表示態様で表示する、所定のマークアップ言語で記述した個人分析表示画面の画面データ（電子ファイル）を生成する。
【０１３３】
より詳しくは、この個人分析表示画面６３は、例えば、端末装置ＳＰ、ＴＡ（ここでは固定端末装置ＳＰ）に表示された場合に、図１６に示すように、メニュー領域６１１と、被監視者メニュー領域６１２ａと、被監視者名表示領域６１２ｂと、モードメニュー領域６１３と、期間入力領域６１４と、期間長メニュー領域６１５と、個別履歴分析メニュー領域６１６と、個人分析表示領域６３１（６３１ａ、６３１ｂ）と、「送信」ボタン６１０とを備える。これら個人分析表示画面６３におけるメニュー領域６１１、被監視者メニュー領域６１２ａ、被監視者名表示領域６１２ｂ、モードメニュー領域６１３、期間入力領域６１４、期間長メニュー領域６１５、個別履歴分析メニュー領域６１６、および、「送信」ボタン６１０は、それぞれ、タイムチャート個人履歴表示画面６１におけるメニュー領域６１１、被監視者メニュー領域６１２ａ、被監視者名表示領域６１２ｂ、モードメニュー領域６１３、期間入力領域６１４、期間長メニュー領域６１５、個別履歴分析メニュー領域６１６、および、「送信」ボタン６１０と同様であるので、その説明を省略する。
【０１３４】
個人分析表示領域６３１（６３１ａ、６３１ｂ）は、前記所定の期間内におけるイベントを、被監視者Ｏｂに対応付けて種類別に表示する領域であって、個人分析表示画面６３では、センサ装置ＳＵで検知されたイベントを個人別、かつ、イベントの種類別に集計して複数の被監視者Ｏｂについて表示する領域である。より具体的には、被監視者Ｏｂごとに設けられた各欄（各行または各列）に、前記所定の期間内における当該被監視者Ｏｂに対応するイベントを種類別に計数した種類別の各計数結果（各第１計数結果）が、イベントの種類順に並べた各棒グラフ（イベント別の各列または各行に各棒グラフ）で表示され、前記分析結果に基づく所定の閾値以上変化している種類別の比較結果と、前記分析結果に基づく所定の閾値以上変化していない種類別の比較結果とが、互いに異なる表示態様で表示される。図１６に示す例では、複数の被監視者Ｏｂの各計数結果を表示するために、個人分析表示領域６３１は、上から下へ順に並ぶ各行に、７人分の第１ないし第７グラフ表示領域６３１ａ１〜６３１ａ７を備える。そして、１人分の種類別の各計数結果を棒グラフで表示するために、これら第１ないし第７グラフ表示領域６３１ａ１〜６３１ａ７は、それぞれ、さらに、イベントの種類数に応じたサブグラフ領域６３１ｂを備える。本実施形態では、サブグラフ領域６３１ｂは、１人分の入床の計数結果を棒グラフで表示する入床サブグラフ領域６３１ｂ１と、１人分の起床の計数結果を棒グラフで表示する起床サブグラフ領域６３１ｂ２と、１人分の離床の計数結果を棒グラフで表示する離床サブグラフ領域６３１ｂ３と、１人分の転倒の計数結果を棒グラフで表示する転倒サブグラフ領域６３１ｂ４と、１人分の呼吸異常の計数結果を棒グラフで表示する呼吸異常サブグラフ領域６３１ｂ５と、１人分のナースコールの計数結果を棒グラフで表示するナースコールサブグラフ領域６３１ｂ６とを備える。例えば、上から第１番目の第１グラフ表示領域６３１ａ１における、入床サブグラフ領域６３１ｂ１、起床サブグラフ領域６３１ｂ２、離床サブグラフ領域６３１ｂ３、転倒サブグラフ領域６３１ｂ４、呼吸異常サブグラフ領域６３１ｂ５、およびナースコールサブグラフ領域６３１ｂ６それぞれには、１回を表す棒グラフ、５回を表す棒グラフ、３回を表す棒グラフ、２回を表す棒グラフ、３回を表す棒グラフ、および、３回を表す棒グラフそれぞれが表示されている。そして、個人分析表示領域６３１に表示される棒グラフは、前記分析結果に基づく所定の閾値以上変化している種類別の比較結果と、前記分析結果に基づく所定の閾値以上変化していない種類別の比較結果とで互いに異なる表示態様で表示される。例えば、前記種類別の比較結果が前記所定の閾値以上変化している場合には、前記棒グラフは、複数の点のハッチングで表示され、前記種類別の比較結果が前記所定の閾値以上変化していない場合には、前記棒グラフは、白抜きで表示される。図１６に示す例では、上から第６番目の第６グラフ表示領域６３１ａ６におけるナースコールサブグラフ領域６３１ｂ２に表示される棒グラフが、複数の点でハッチングされており、これにより、前記種類別の比較結果が前記所定の閾値以上変化していることが表示されている。なお、表示すべき人数が個人分析表示領域６３１（６３１ａ、６３１ｂ）に表示可能な人数を超える場合には、個人分析表示領域６３１（６３１ａ、６３１ｂ）は、上下にスクロールできるようになっている。
【０１３５】
例えば、図１３に示すタイムチャート個人履歴表示画面６１において、あるいは、図１４に示すグラフ個人履歴表示画面６２において、あるいは、図１６に示す個人分析表示画面６３において、監視者（ユーザ）が、「個人分析」ボタン６１６２を入力操作し、「グラフ」ボタン６１３１を入力操作し、被監視者メニュー領域６１２ａを入力操作し、期間入力領域６１４および期間長メニュー領域６１５それぞれを入力操作し、そして、「送信」ボタン６１０を入力操作すると、端末装置ＳＰ、ＴＡ（ここでは固定端末装置ＳＰ）は、センサ装置ＳＵで検知されたイベントの個人分析を要求する前記第２指示、被監視者メニュー領域６１２ａで入力され指定された複数の被監視者Ｏｂの被監視者名（図１６に示す例では全員一括指定情報）、期間入力領域６１４および期間長メニュー領域６１５で入力され指定された期間（図１６に示す例では２０１６／０５／１４の１日）全員一括指定情報）、および、グラフ表示モードを収容する個人分析要求通信信号を管理サーバ装置ＳＶへ送信する。
【０１３６】
この個人分析要求通信信号を受信すると、管理サーバ装置ＳＶは、上述の処理Ｓ２１、処理Ｓ２２および処理Ｓ２５を順次に実行し、この処理Ｓ２５では、上述の処理Ｓ２５１、処理Ｓ２５２および処理Ｓ２５３を実行する。そして、この処理Ｓ２５３では、監視処理部２２２は、前記処理Ｓ２５１による履歴情報抽出処理部２２３の抽出結果、および、前記処理Ｓ２５２による分析処理部２２４のその分析結果に基づいて、上述した図１６に示す個人分析表示画面６３の電子ファイルを所定のマークアップ言語を用いて生成する。
【０１３７】
そして、図１２に戻って、次に、制御処理部２２は、監視処理部２２２によって、この処理Ｓ２５３で生成した個人分析表示画面６３の電子ファイルを収容した分析情報通知通信信号を端末装置ＳＰ、ＴＡ（ここでは固定端末装置ＳＰ）へ返信し、本処理Ｓ２５を終了する。この分析情報通知通信信号を受信すると、端末装置ＳＰ、ＴＡ（ここでは固定端末装置ＳＰ）は、この受信した分析情報通知通信信号に収容された個人分析表示画面６３の電子ファイルを用いて個人分析表示画面６３を表示（更新）する。
【０１３８】
処理Ｓ２５において、処理Ｓ２１で端末装置ＳＰ、ＴＡから受信された個人分析要求通信信号が管理サーバ装置ＳＶによって処理される。
【０１３９】
図９に戻って、処理Ｓ２６では、管理サーバ装置ＳＶは、ＳＶ制御処理部２２によって、処理Ｓ２１で受信した通信信号に応じた適宜な処理を実行し、次の処理Ｓ２７を実行する。
【０１４０】
そして、これら処理Ｓ２３ないし処理Ｓ２６それぞれの後に実行される前記処理Ｓ２７では、管理サーバ装置ＳＶは、ＳＶ制御処理部２２によって、その稼働が終了（停止）か否かを判定する。この判定の結果、稼働の終了（停止）である場合（Ｙｅｓ）には、管理サーバ装置ＳＶは、本処理を終了し、一方、稼働の終了（停止）ではない場合（Ｎｏ）には、管理サーバ装置ＳＶは、処理を処理Ｓ２１に戻す。
【０１４１】
第１イベント通知通信信号、個人履歴要求通信信号および個人分析要求通信信号等に関し、管理サーバ装置ＳＶは、以上のように動作している。
【０１４２】
以上説明したように、本実施形態における被監視者監視システムＭＳ、中央処理装置の一例としての管理サーバ装置ＳＶ、ならびに、これに実装された中央処理方法は、所定の期間内におけるイベントを、被監視者Ｏｂに対応付けて種類別に、例えば端末装置ＳＰ、ＴＡ等の所定の表示装置に表示させるので、監視者は、この表示を参照することによって、被監視者Ｏｂに対するイベントの検知結果を種類別に視覚で把握でき、種類別に傾向を見つけ易くなる。例えば、監視者は、むやみにナースコールを発報する被監視者Ｏｂ等の個々人の特性を発見できる。したがって、上記被監視者監視システムＭＳ、中央処理装置（管理サーバ装置ＳＶ）および中央処理方法は、被監視者Ｏｂの、通知（報知）のされ方に関し、その傾向の発見を支援できる。
【０１４３】
上記被監視者監視システムＭＳ、中央処理装置（管理サーバ装置ＳＶ）および中央処理方法は、被監視者Ｏｂに対して検知されたイベントを種類別に、時間軸上にマークで例えば端末装置ＳＰ、ＴＡ等の前記表示装置に表示させるので、監視者は、この表示を参照することによって、被監視者Ｏｂに対して検知されたイベントを、種類別に時間的な傾向を見つけ易くなる。
【０１４４】
上記被監視者監視システムＭＳ、中央処理装置（管理サーバ装置ＳＶ）および中央処理方法は、前記通知の有無を例えば端末装置ＳＰ、ＴＡ等の前記表示装置に表示させるので、監視者は、この表示を参照することによって、前記通知の有無を視認できる。
【０１４５】
上記被監視者監視システムＭＳ、中央処理装置（管理サーバ装置ＳＶ）および中央処理方法は、前記睡眠時間と前記睡眠時間を除いた残余の臥床時間とを互いに異なる表示態様で例えば端末装置ＳＰ、ＴＡ等の前記表示装置に表示させるので、監視者は、この表示を参照することによって、いわゆる夜間の正規な睡眠時間（夜間睡眠時間）と、いわゆる日中の昼寝時間（日中睡眠時間）とを視認できる。
【０１４６】
上記被監視者監視システムＭＳ、中央処理装置（管理サーバ装置ＳＶ）および中央処理方法は、前記所定の閾値以上変化している種類別の比較結果を、例えば端末装置ＳＰ、ＴＡ等の前記表示装置に表示させるので、監視者は、この表示を参照することによって、分析対象の第２期間と、それ以前の第３期間とで、検知数の傾向に変化があったイベントの種類を認識できる。
【０１４７】
上記被監視者監視システムＭＳ、中央処理装置（管理サーバ装置ＳＶ）および中央処理方法は、個人履歴表示モードのグラフ表示モードでは、１人の被監視者Ｏｂについて、複数のサブ期間ごとに、検知数の傾向に変化があったイベントの種類を認識できる。
【０１４８】
上記被監視者監視システムＭＳ、中央処理装置（管理サーバ装置ＳＶ）および中央処理方法は、個人分析表示モードでは、複数の被監視者Ｏｂそれぞれについて、検知数の傾向に変化があったイベントの種類を認識できる。
【０１４９】
なお、上述の実施形態において、前記睡眠時間（夜間睡眠時間）は、睡眠量の度合いを表す指標（睡眠量指標）として用いられても良い。例えば、前記睡眠量指標は、２４時間の中の、予め設定された夜間時間で、前記睡眠時間を除した百分率である（（睡眠量指標）＝｛（前記睡眠時間）／（前記夜間時間）｝×１００［％］）。そして、このような睡眠量指標は、例えば、タイムチャート個人履歴表示画面６１に表示される。例えば、夜間睡眠時間を表すバー６１９１内に表記される。
【０１５０】
また、上述の実施形態において、前記睡眠時間を除いた残余の臥床時間（日中睡眠時間）は、日中の活動量の度合いを表す指標（活動量指標）として用いられても良い。例えば、前記活動量指標は、２４時間の中の、予め設定された日中時間で、前記日中時間から、前記睡眠時間を除いた残余の臥床時間を減算した減算結果を除した百分率である（（活動量指標）＝［｛（前記日中時間）−（前記睡眠時間を除いた残余の臥床時間）｝／（前記日中時間）］×１００［％］、（前記夜間時間）＋（前記日中時間）＝２４［時間］）。そして、このような活動量指標は、例えば、タイムチャート個人履歴表示画面６１に表示される。例えば、日中睡眠時間を表すバー６１９２内に表記される。なお、この場合では、日中睡眠時間が無い場合には、活動量指標は、１００％であるので、その表示が省略される。
【０１５１】
本明細書は、上記のように様々な態様の技術を開示しているが、そのうち主な技術を以下に纏める。
【０１５２】
一態様にかかる中央処理装置は、監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの前記中央処理装置であって、記憶部と、履歴情報抽出処理部と、監視処理部とを備え、前記記憶部は、前記センサ装置で検知されて前記センサ装置から受信したイベントを、前記センサ装置に対応する前記被監視者に対応付けて監視情報として記憶し、前記監視情報は、前記イベントの検知時刻または受信時刻、および、前記イベントの種類を含み、前記履歴情報抽出処理部は、前記記憶部に記憶された監視情報から、所定の期間内における、所定の被監視者に対応するイベントの種類を抽出し、前記監視処理部は、前記履歴情報抽出処理部の抽出結果に基づいて、前記所定の期間内におけるイベントを、前記被監視者に対応付けて種類別に、所定の表示装置に表示させる。好ましくは、上述の中央処理装置において、前記所定のイベントは、例えば、入床、起床、離床、転倒および呼吸異常等の、予め設定された所定の行動を含む。好ましくは、上述の中央処理装置において、前記所定のイベントは、ナースコールを含む。好ましくは、上述の中央処理装置において、前記記憶部は、前記センサ装置を特定し識別するための識別子であるセンサＩＤと前記被監視者の被監視者名とを互いに対応付けてセンサ情報として記憶するセンサ情報記憶部と、前記センサＩＤと、前記イベントの種類名と、前記検知時刻または受信時刻とを互いに対応付けて前記監視情報として記憶する監視情報記憶部とを備え、前記センサＩＤを用いたリレーショナルで、前記センサ装置で検知されて前記センサ装置から受信したイベントを、前記センサ装置に対応する前記被監視者に対応付けて監視情報として記憶する。好ましくは、上述の中央処理装置において、前記所定の期間は、１日、１週間、１カ月および３カ月を含む。好ましくは、上述の中央処理装置において、前記所定の表示装置は、当該中央処理装置にさらに備えられる表示装置である。好ましくは、上述の中央処理装置において、前記所定の表示装置は、当該中央処理装置に通信可能に接続される表示装置（前記端末装置を含む）であり、前記監視処理部は、前記履歴情報抽出処理部で前記所定の期間内で抽出された、イベントの種類および前記被監視者の被監視者名を収容する通信信号を、前記所定の表示装置へ送信する。
【０１５３】
このような中央処理装置は、所定の期間内におけるイベントを、被監視者に対応付けて種類別に、所定の表示装置に表示させるので、監視者は、この表示を参照することによって、被監視者に対するイベントの検知結果を種類別に視覚で把握でき、種類別に傾向を見つけ易くなる。したがって、上記中央処理装置は、被監視者の、通知（報知）のされ方に関し、その傾向の発見を支援できる。
【０１５４】
他の一態様では、上述の中央処理装置において、前記監視処理部は、前記被監視者に対応して設けられ前記所定の期間に応じた時間軸上に、前記イベントの種類を表した所定のマークを、前記イベントの検知時刻または受信時刻で、表示することで、前記履歴情報抽出処理部の抽出結果に基づいて、前記所定の期間内におけるイベントを、前記被監視者に対応付けて種類別に、前記所定の表示装置に表示させる。好ましくは、上述の中央処理装置において、前記所定の表示装置は、当該中央処理装置に通信可能に接続される表示装置（前記端末装置を含む）であり、前記監視処理部は、前記被監視者に対応して設けられ前記所定の期間に応じた時間軸上に、前記イベントの種類を表した所定のマークを、前記イベントの検知時刻または受信時刻で、表示する、所定のマークアップ言語で記述した画面データ（電子ファイル）を通信信号に収容して前記所定の表示装置へ送信する。
【０１５５】
このような中央処理装置は、被監視者に対して検知されたイベントを種類別に、時間軸上にマークで前記所定の表示装置に表示させるので、監視者は、この表示を参照することによって、被監視者に対して検知されたイベントを、種類別に時間的な傾向を見つけ易くなる。
【０１５６】
他の一態様では、上述の中央処理装置において、前記記憶部は、前記センサ装置で検知されて前記センサ装置から受信したイベントを所定の端末装置へ通知するか否かを前記イベントの種類ごとに表す返信許否情報を、前記センサ装置に対応する前記被監視者に対応付けて通知許否情報としてさらに記憶し、前記監視処理部は、前記センサ装置で検知されて前記センサ装置から受信したイベントを前記所定の端末装置へ通知する通知処理を前記記憶部に記憶された通知許否情報に基づいて実行し、前記通知処理による通知の有無を前記センサ装置で検知されて前記センサ装置から受信した前記イベントに対応付けて前記監視情報の一つとして前記記憶部にさらに記憶し、前記監視処理部は、前記履歴情報抽出処理部の抽出結果に基づいて、前記所定の期間内におけるイベントを、前記被監視者に対応付けて種類別に、所定の表示装置に表示させる際に、さらに、前記通知の有無を前記所定の表示装置に表示させる。
【０１５７】
このような中央処理装置は、さらに、前記通知の有無を前記所定の表示装置に表示させるので、監視者は、この表示を参照することによって、前記通知の有無を視認できる。
【０１５８】
他の一態様では、これら上述の中央処理装置において、分析処理部をさらに備え、前記分析処理部は、前記履歴情報抽出処理部の抽出結果に基づいて、入床から離床までの時間を臥床時間として求め、前記求めた臥床時間の中から、所定の第１時刻以降の最初の入床から翌日の所定の第２時刻以降の最初の離床までの時間を睡眠時間とする分析処理を実行し、前記監視処理部は、前記履歴情報抽出処理部の抽出結果に基づいて、前記所定の期間内におけるイベントを、前記被監視者に対応付けて種類別に、所定の表示装置に表示させる際に、さらに、前記分析処理の実行で求められた睡眠時間と前記睡眠時間を除いた残余の臥床時間とを互いに異なる表示態様で前記所定の表示装置に表示させる。好ましくは、上述の中央処理装置において、前記睡眠時間は、睡眠量の度合いを表す指標（睡眠量指標）として用いられる。例えば、前記睡眠量指標は、２４時間の中の、予め設定された夜間時間で、前記睡眠時間を除した百分率である（（睡眠量指標）＝｛（前記睡眠時間）／（前記夜間時間）｝×１００［％］）。好ましくは、上述の中央処理装置において、前記睡眠時間を除いた残余の臥床時間は、日中の活動量の度合いを表す指標（活動量指標）として用いられる。例えば、前記活動量指標は、２４時間の中の、予め設定された日中時間で、前記日中時間から、前記睡眠時間を除いた残余の臥床時間を減算した減算結果を除した百分率である（（活動量指標）＝［｛（前記日中時間）−（前記睡眠時間を除いた残余の臥床時間）｝／（前記日中時間）］×１００［％］、（前記夜間時間）＋（前記日中時間）＝２４［時間］）。
【０１５９】
このような中央処理装置は、前記睡眠時間と前記睡眠時間を除いた残余の臥床時間とを互いに異なる表示態様で前記所定の表示装置に表示させるので、監視者は、この表示を参照することによって、いわゆる夜間の正規な睡眠時間（夜間睡眠時間）と、いわゆる日中の昼寝時間（日中睡眠時間）とを視認できる。
【０１６０】
他の一態様では、これら上述の中央処理装置において、前記分析処理部は、さらに、前記記憶部に記憶された監視情報から、分析対象である所定の第２期間内における、所定の被監視者に対応するイベントを種類別に計数することで第１計数結果を求め、前記第２期間よりも以前の所定の第３期間内における、前記所定の被監視者に対応するイベントを種類別に計数して前記第２期間長に応じた平均値で第２計数結果を求め、前記第１計数結果と前記第２計数結果とを種類別に比較し、所定の閾値以上変化している種類別の比較結果を求める第２分析処理を実行し、前記監視処理部は、前記第２分析処理の実行で求めた所定の閾値以上変化している種類別の比較結果を前記所定の表示装置に表示させる。好ましくは、上述の中央処理装置において、前記第２および第３期間は、それぞれ、１日、１週間、１カ月および３カ月を含む。好ましくは、上述の中央処理装置において、前記第３期間は、前記第２期間に応じて変更される。好ましくは、上述の中央処理装置において、前記第２期間と前記第３期間とは、同じ期間長である。
【０１６１】
このような中央処理装置は、前記所定の閾値以上変化している種類別の比較結果を、前記所定の表示装置に表示させるので、監視者は、この表示を参照することによって、分析対象の第２期間と、それ以前の第３期間とで、検知数の傾向に変化があったイベントの種類を認識できる。
【０１６２】
他の一態様では、これら上述の中央処理装置において、前記第２期間は、複数のサブ期間を備え、前記分析処理部は、１人の被監視者に対して複数のサブ期間それぞれについて、当該サブ期間を前記第２期間とする前記第２分析処理を実行する。例えば、前記第２期間が１週間である場合に、前記サブ期間は、１日である。また例えば、前記第２期間が１カ月である場合に、前記サブ期間は、１週間である、あるいは、１日である。
【０１６３】
このような中央処理装置は、１人の被監視者について、複数のサブ期間ごとに、検知数の傾向に変化があったイベントの種類を認識できる。
【０１６４】
他の一態様では、これら上述の中央処理装置において、前記分析処理部は、複数の被監視者それぞれについて、前記第２分析処理を実行する。
【０１６５】
このような中央処理装置は、複数の被監視者それぞれについて、検知数の傾向に変化があったイベントの種類を認識できる。
【０１６６】
他の一態様にかかる中央処理方法は、監視対象である被監視者に対応して設けられ、前記被監視者に関わる所定のイベントを検知するセンサ装置、前記センサ装置と通信可能に接続され前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムの中央処理方法であって、記憶工程と、履歴情報抽出工程と、監視処理工程とを備え、前記記憶工程は、前記センサ装置で検知され前記センサ装置から受信したイベントを、前記センサ装置に対応する前記被監視者に対応付けて監視情報として記憶部に記憶し、前記監視情報は、前記イベントの検知時刻または受信時刻、および、前記イベントの種類を含み、前記履歴情報抽出工程は、前記記憶部に記憶された監視情報から、所定の期間内における、所定の被監視者に対応する検知結果の種類を抽出し、前記監視処理工程は、前記履歴情報抽出工程の抽出結果に基づいて、前記所定の期間内におけるイベントを、前記被監視者に対応付けて種類別に、所定の表示装置に表示させる。
【０１６７】
このような中央処理方法は、所定の期間内におけるイベントを、被監視者に対応付けて種類別に、所定の表示装置に表示させるので、監視者は、この表示を参照することによって、被監視者に対するイベントの検知結果を種類別に視覚で把握でき、種類別に傾向を見つけ易くなる。したがって、上記中央処理方法は、被監視者の、通知（報知）のされ方に関し、その傾向の発見を支援できる。
【０１６８】
他の一態様にかかる被監視者監視システムは、監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者を監視するための被監視者監視システムであって、前記中央処理装置は、これらいずれかの中央処理装置である。
【０１６９】
このような被監視者監視システムは、これらいずれかの中央処理装置を用いるので、被監視者の、通知（報知）のされ方に関し、その傾向の発見を支援できる。
【０１７０】
この出願は、２０１６年６月２４日に出願された日本国特許出願特願２０１６−１２６０４１を基礎とするものであり、その内容は、本願に含まれるものである。
【０１７１】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０１７２】
本発明によれば、被監視者監視システムの中央処理装置および中央処理方法ならびに被監視者監視システムが提供できる。
【図１】
2017221752.tif 000003
【図２】
2017221752.tif 000004
【図３】
2017221752.tif 000005
【図４】
2017221752.tif 000006
【図５】
2017221752.tif 000007
【図６】
2017221752.tif 000008
【図７】
2017221752.tif 000009
【図８】
2017221752.tif 000010
【図９】
2017221752.tif 000011
【図１０】
2017221752.tif 000012
【図１１】
2017221752.tif 000013
【図１２】
2017221752.tif 000014
【図１３】
2017221752.tif 000015
【図１４】
2017221752.tif 000016
【図１５】
2017221752.tif 000017
【図１６】
2017221752.tif 000018
【国際調査報告】
2017221752.tif 000019
2017221752.tif 000020
2017221752.tif 000021
2017221752.tif 000022